(57)【要約】【課題】赤外線センサを用いた検知分解能が高い人体検知装置により検知した人体に、温風を当てることなく静電ミストを含む温風を人体を包むように届けることで肌ケアができる空気調和機を提供する。【解決手段】この発明に係る空気調和機は、空調の目標とするエリア区画を、人体が在位する床面領域の両側又は両端又は片側の床面領域に設定し、空調の目標とするエリア区画に向けて、静電霧化装置から生成された静電ミストをのせた気流を吹き分ける又は吹きつけるものである。【選択図】図６５
2011038652.tif 000002
【特許請求の範囲】
【請求項１】
本体と、
前記本体に設けられ、部屋の空気を吸い込む吸込口と、
前記本体に設けられ、調和空気を吹出し気流として吹き出す吹出口と、
前記吹出口に設けられ、前記吹出し気流を上下方向に整流する上下風向制御板と、
前記吹出口に設けられ、前記吹出し気流を左右方向に整流する左右風向制御板と、
前記吸込口と前記吹出口との間の風路に設けられ、前記調和空気を生成する熱交換器と、
前記本体に取り付けられ、温度検出対象範囲内で温度検出対象の温度を検出する赤外線センサと、
前記赤外線センサにより人体や発熱機器の存在を検知して、当該空気調和機の制御を司るとともに、少なくとも前記上下風向制御板と前記左右風向制御板とを制御する制御部と、
前記吹出し気流にのせて前記吹出口から調和空気とともに室内に放出する静電ミストを生成する静電霧化装置と、を備え、
前記制御部は、
当該空気調和機が設置された室内空間を、複数のエリア区画に区分して二次元状に展開するとともに、前記赤外線センサの検出結果に基づいて、人体の在位するエリア区画を特定し、
前記複数のエリア区画の中から、空調の目標とするエリア区画を、前記人体が在位するエリア区画の両側もしくは両端もしくは片側のエリア区画に設定して、この空調の目標とするエリア区画に向けて、前記静電ミストをのせた前記吹出し気流を吹き分ける又は吹きつけることを特徴とする空気調和機。
【請求項２】
本体と、
前記本体に設けられ、部屋の空気を吸い込む吸込口と、
前記本体に設けられ、調和空気を吹出し気流として吹き出す吹出口と、
前記吹出口に設けられ、前記吹出し気流を上下方向に整流する上下風向制御板と、
前記上下風向制御板の角度を調節する上下風向制御用ステッピングモーターと、
前記吹出口に設けられ、前記吹出し気流を左右方向に整流する左右風向制御板と、
前記左右風向制御板の角度を調節する左右風向制御用ステッピングモーターと、
前記吸込口と前記吹出口との間の風路に設けられ、前記調和空気を生成する熱交換器と、
前記熱交換器の下方に設けられ、前記熱交換器で結露した水を受けるドレンパンと、
前記本体の前面に所定の俯角で下向きに取り付けられ、温度検出対象範囲を左右に走査して温度検出対象の温度を検出する赤外線センサと、
前記赤外線センサにより人や発熱機器の存在を検知して、当該空気調和機の制御を司るとともに、少なくとも前記上下風向制御用ステッピングモーターと前記左右風向制御用ステッピングモーターとを制御する制御部と、
前記熱交換器の風上側に設けられ、水供給手段のペルチェユニットの放熱面に接する放熱部が前記熱交換器と向き合うように設置されている静電霧化装置と、を備え、
前記制御部は、
前記赤外線センサを走査して前記部屋の熱画像データを取得し、前記熱画像データ上で、以下に示す三つの情報を統合することで、空調している空調エリア内の床面広さを求めるとともに、前記熱画像データ上の前記空調エリア内における壁面位置を求め、
（１）当該空気調和機の能力帯並びにリモコンの据付位置ボタン設定から求める形状制限値および初期設定値の部屋形状；
（２）当該空気調和機の運転中に生じる床と壁の温度ムラから求まる部屋形状；
（３）人体検知位置履歴から求まる部屋形状；
また、前記三つの情報の統合により求められた空調している空調エリア内の床面広さ、前記熱画像データ上の前記空調エリア内における壁面位置から求められる床面境界線上の各座標点を前記熱画像データに逆投影させて、前記熱画像データから各壁面、床面の温度データを生成し、前記温度データに基づいて人体の輻射温度を求め、
前記床面温度の算出は、前記熱画像データ上の床面領域を左右方向及び奥行き方向に夫々複数の領域に分割し、分割された各領域の熱画像データから求まる温度データの平均を各領域の床面温度とし、
前記人体の輻射温度と前記床面の温度データとから、前記人体の在位する床面領域を特定し、
さらに、前記制御部は、
当該空気調和機が設置された室内空間を区分する複数のエリア区画を二次元状に展開して成るエリア区画群の各エリア区画に０か１の２値のいずれかを設定し、前記エリア区画群の中で空調の目標とするエリア区画を決定する目標エリア決定部と、
前記空調の目標とするエリア区画に向けて、前記上下風向制御用ステッピングモーターと前記左右風向制御用ステッピングモーターとのうち、少なくともいずれか一方を制御する際に、前記左右風向制御用ステッピングモーターは、前記エリア区画群の中で奥行き方向に各エリア区画の論理和を各列毎に算出して得られる奥行き方向一次元データに基づき制御動作を行い、前記上下風向制御用ステッピングモーターは、前記エリア区画群の中で左右方向に各エリア区画の論理和を各行毎に算出して得られる左右方向一次元データに基づき制御動作を行うエリア風向制御部と、を具備し、
前記制御部は、前記空調の目標とするエリア区画を、前記人体が在位する前記床面領域の両側もしくは両端もしくは片側の前記床面領域に設定し、前記空調の目標とするエリア区画に向けて、前記静電霧化装置によって生成された静電ミストをのせた前記吹出し気流を吹き分ける又は吹きつけることを特徴とする空気調和機。
【請求項３】
前記静電霧化装置は、
ペルチェユニットとその冷却面に接する冷却部とを有し、この冷却部に結露した水を前記冷却部から重力方向に滴下する水供給手段と、
多孔質体から形成され、水供給手段から滴下された水を受け取り、高電圧が印加されることで、この水を先端霧化部で霧化させる水印加電極と、を備えた静電霧化装置であって、
前記水印加電極は、平板状で略矩形に形成され、前記冷却部から重力方向に滴下された水を受け取って、この水を前記先端霧化部に搬送する胴部と、この胴部の側面から突出するように前記胴部と一体的に形成される板状突起である前記先端霧化部から成り、
前記胴部は、その長辺方向を水平方向に伸ばすとともに、前記冷却部の下方に所定の距離Ｌ１の空間を隔てて前記冷却部とは非接触で、かつ、前記冷却部を重力方向に投影したときに、前記冷却部の積層方向の幅が、前記胴部の前記冷却部に対向して露出される上面の長辺方向の幅内に収まるように配置されていることを特徴とする請求項１または請求項２に記載の空気調和機。
【請求項４】
前記赤外線センサを温度検出対象範囲内で左右に走査して温度検出対象の温度を検出することにより前記熱画像データを獲得する熱画像取得部と、
前記熱画像データ上の空調エリア内における前記壁面位置を獲得する床壁検知部と、
現在の温度条件が窓状態の検知が必要な状態かどうかを判定する、室内の空気温度を検知する室温判定部と外気温度を検知する外気温度検知部とを有する温度条件判定部と、
前記温度条件判定部で検知が必要な状態と判定された場合、背景熱画像中の所定の温度差がある領域を窓領域として検知する窓状態検知部と、を備え、
前記窓状態検知部は、
前記背景熱画像において壁領域内の温度差が一定値以上あるかどうかを判定する壁領域内温度差判定部と、
前記背景熱画像において壁領域内で外気温度に近い領域を抽出する壁領域内外気温度領域抽出部と、
前記壁領域内外気温度領域抽出部で抽出した領域の中で窓領域である可能性の高い領域を抽出し、前記壁領域内外気温度領域抽出部において、一定時間以上窓領域として抽出され続けた領域を窓領域として検知する窓領域抽出部と、を具備し、
前記制御部は、前記窓領域抽出部からの前記窓領域情報をもとに、前記人体の検知のないときは、前記窓領域に前記静電霧化装置から生成された静電ミストをのせた気流を吹きつける気流制御を行うことを特徴とする請求項１乃至３のいずれかに記載の空気調和機。
【請求項５】
以下に示す計算式にて、
【数１】
2011038652.tif 000004
ここで、
Ｔ＿ｃａｌｃ：輻射温度
Ｔｆ．ａｖｅ：人体が検知された場所の床面温度
Ｔ＿ｌｅｆｔ：左壁面温度
Ｔ＿ｆｒｏｎｔ：正面壁温度
Ｔ＿ｒｉｇｈｔ：右壁面温度
Ｘｆ：人体検知位置のＸ座標
Ｙｆ：人体検知位置のＹ座標
Ｘ＿ｌｅｆｔ：左側壁面間距離
Ｙ＿ｆｒｏｎｔ：正面壁面間距離
Ｘ＿ｒｉｇｈｔ：右側壁面間距離
α、β、γ：補正係数
各人体毎の床面並びに各壁面からの輻射温度を求めることを特徴とする請求項２に記載の空気調和機。
【発明の詳細な説明】
【技術分野】
【０００１】
この発明は、静電ミストを発生する静電霧化装置を有する空気調和機に関する。詳しくは、人の在否に応じて人の肌質を温風で肌水分量を蒸発させることなく改善したり、部屋を浄化したりする技術に関する。
【背景技術】
【０００２】
従来、人の在否に応じて人の肌質を改善したり部屋を浄化することで快適な室内環境を実現できる空気調和機が提案されている。この空気調和機は、室内機に、人の在否を検知する複数の人体検知センサと静電ミストを発生する静電霧化装置とを設け、空調すべき領域を複数の人体検知センサにより複数の領域に区分し、人体検知センサにより人がいると判定された領域、あるいは人がいる頻度が高い領域特性を持つ領域に風向制御して当該領域に静電ミストを到達させるようにしたものである（例えば、特許文献１参照）。
【先行技術文献】
【特許文献】
【０００３】
【特許文献１】特許第４２６２７７１号公報
【発明の概要】
【発明が解決しようとする課題】
【０００４】
しかしながら、上記特許文献１に記載された空気調和機は、人体検知センサにより人がいると判定された領域に風向制御して当該領域に静電ミストを到達させるようにしたものであるが、人に直接温風が当たるので、暖かいけれども乾燥感がある。人に静電ミストを到達させるようにしても、温風による乾燥のため肌水分量は増加しないという課題があった。
【０００５】
この発明は、上記のような課題を解決するためになされたもので、赤外線センサを用いた検知分解能が高い人体検知装置により検知した人体に、温風を当てることなく静電ミストを含む温風を人体を包むように届けることで肌ケアができる空気調和機を提供する。
【０００６】
また、赤外線センサによる空間認識情報をもとに、人が部屋にいないときに、カーテン等に縮流気流制御にて静電ミストを届けて脱臭等の部屋ケアを行うことができる空気調和機を提供する。
【課題を解決するための手段】
【０００７】
この発明に係る空気調和機は、
本体と、
本体に設けられ、部屋の空気を吸い込む吸込口と、
本体に設けられ、調和空気を吹出し気流として吹き出す吹出口と、
吹出口に設けられ、吹出し気流を上下方向に整流する上下風向制御板と、
吹出口に設けられ、吹出し気流を左右方向に整流する左右風向制御板と、
吸込口と前記吹出口との間の風路に設けられ、調和空気を生成する熱交換器と、
本体に取り付けられ、温度検出対象範囲内で温度検出対象の温度を検出する赤外線センサと、
赤外線センサにより人や発熱機器の存在を検知して、当該空気調和機の制御を司るとともに、少なくとも上下風向制御板と左右風向制御板とを制御する制御部と、
吹出し気流にのせて吹出口から調和空気とともに室内に放出する静電ミストを生成する静電霧化装置と、を備え、
制御部は、
当該空気調和機が設置された室内空間を、複数のエリア区画に区分して二次元状に展開するとともに、赤外線センサの検出結果に基づいて、人体の在位するエリア区画を特定し、
複数のエリア区画の中から、空調の目標とするエリア区画を、人体が在位するエリア区画の両側もしくは両端もしくは片側のエリア区画に設定し、この空調の目標とするエリア区画に向けて、静電ミストをのせた吹出し気流を吹き分ける又は吹きつけるものである。
【発明の効果】
【０００８】
この発明に係る空気調和機は、空調の目標とするエリア区画を、人体が在位する床面領域の両側又は両端又は片側の床面領域に設定し、空調の目標とするエリア区画に向けて、静電霧化装置から生成された静電ミストをのせた気流を吹き分ける又は吹きつけるので、検知した人体に、温風を当てることなく静電ミストを含む温風を人体を包むように届けることで肌ケアができる。
【図面の簡単な説明】
【０００９】
【図１】実施の形態１を示す図で、空気調和機１００の斜視図。
【図２】実施の形態１を示す図で、空気調和機１００の斜視図。
【図３】実施の形態１を示す図で、空気調和機１００の縦断面図。
【図４】実施の形態１を示す図で、赤外線センサ３と受光素子の各配光視野角を示す図。
【図５】実施の形態１を示す図で、赤外線センサ３を収納する筐体５の斜視図。
【図６】実施の形態１を示す図で、赤外線センサ３付近の斜視図（（ａ）は赤外線センサ３が右端端部へ可動した状態、（ｂ）は赤外線センサ３が中央部へ可動した状態、（ｃ）は赤外線センサ３が左端端部へ可動した状態）。
【図７】実施の形態１を示す図で、赤外線センサ３の縦断面における縦配光視野角を示す図。
【図８】実施の形態１を示す図で、主婦１２が幼児１３を抱いている部屋の熱画像データを示す図。
【図９】実施の形態１を示す図で、空気調和機１００の能力帯により規定された冷房運転時の畳目安ならびに広さ（面積）を示す図。
【図１０】実施の形態１を示す図で、図９記載の能力毎の広さ（面積）の最大面積を用いることで、能力毎における床面の広さ（面積）を規定した図。
【図１１】実施の形態１を示す図で、能力２．２ｋｗにおける縦横の部屋形状制限値を示す図。
【図１２】実施の形態１を示す図で、空気調和機１００の能力帯にから求まる縦横距離条件を示す図。
【図１３】実施の形態１を示す図で、能力２．２ｋｗ時の中央据付時条件を示す図。
【図１４】実施の形態１を示す図で、能力２．２ｋｗ時の左コーナー据付時（使用者から見て）の場合を示す図。
【図１５】実施の形態１を示す図で、空気調和機１００の能力２．２ｋｗ時に、リモコンの据付位置ボタンが中央に設定された際の熱画像データ上の床面と壁面との位置関係を示す図。
【図１６】実施の形態１を示す図で、温度ムラによる部屋形状の算出フローを示す図。
【図１７】実施の形態１を示す図で、図１５の熱画像データ上にて壁面と床面との境界となる上下の画素間を示す図。
【図１８】実施の形態１を示す図で、図１７にて設定した境界線６０の位置に対し、下方向に１画素そして上方向に２画素の合計３画素間において上下画素間の生じている温度を検知する図。
【図１９】実施の形態１を示す図で、画素検知領域内において、温度ムラ境界を検知する温度ムラ境界検知部５３により閾値を超えた画素、または、傾きの最大値を超えた画素を黒色にてマーキングしている図。
【図２０】実施の形態１を示す図で、温度ムラによる境界線を検知した結果を示す図。
【図２１】実施の形態１を示す図で、熱画像データ上において、境界線の下部に引かれた各素子の座標点（Ｘ，Ｙ）を床面座標変換部５５が床面座標点として変換し、床面１９に投影した図。
【図２２】実施の形態１を示す図で、能力２．２ＫＷ、リモコン中央据付条件時における初期設定条件での正面壁１９位置付近の温度差を検知する対象画素の領域を示す図。
【図２３】実施の形態１を示す図で、床面１８に各熱画像データの境界線素子座標を投影した図２１において、図２２に示した正面壁１９位置付近を検知する各素子の散布素子座標点の平均を求め正面壁１９と床面１８との壁面位置を求めた図。
【図２４】実施の形態１を示す図で、人体検知位置履歴による部屋形状の算出フローを示す図。
【図２５】実施の形態１を示す図で、直前の背景画像と人体の存在する熱画像データとの差分を行い、閾値Ａ並びに閾値Ｂをもって人体の検知を判断する結果を示す図。
【図２６】実施の形態１を示す図で、熱画像データ差分から求めた人体検知位置を床面座標変換部５５にて座標変換を行った人位置座標（Ｘ，Ｙ）点として、Ｘ軸、Ｙ軸毎にカウント積算した様子を示す図。
【図２７】実施の形態１を示す図で、人体位置履歴による部屋形状の判定結果を示す図。
【図２８】実施の形態１を示す図で、Ｌ字型部屋形状のリビングにおける人体検知位置履歴の結果を示す図。
【図２９】実施の形態１を示す図で、横方向Ｘ座標における、床面領域（Ｘ座標）に蓄積されたカウント数を示す図。
【図３０】実施の形態１を示す図で、図２９にて求めた床面領域（Ｘ座標）を領域Ａ・Ｂ・Ｃと均等３分割を行い、蓄積された最大の蓄積数値がどこの領域に存在するかを求め、同時に各領域毎の最大値と最小値を求る図。
【図３１】実施の形態１を示す図で、領域Ｃ内に蓄積データの最大蓄積数が存在する場合、最大蓄積数に対して９０％以上のカウント数が領域内にγ本（０．３ｍ毎に分解される領域の中の数）以上あることをもって判断する手段を示す図。
【図３２】実施の形態１を示す図で、領域Ａ内に蓄積データの最大蓄積数が存在する場合、最大蓄積数に対して９０％以上のカウント数が領域内にγ本（０．３ｍ毎に分解される領域の中の数）以上あることをもって判断する手段を示す図。
【図３３】実施の形態１を示す図で、Ｌ字型部屋形状であると判断された場合、最大の蓄積数に対し５０％以上の個所を求める図。
【図３４】実施の形態１を示す図で、図３３にて求めたＬ字型部屋形状の床面と壁面との境界点と閾値Ａ以上におけるＸ座標、Ｙ座標の床面領域から求めたＬ字型部屋形状の床面領域形状を示す図。
【図３５】実施の形態１を示す図で、三つの情報を統合するフローを示す図。
【図３６】実施の形態１を示す図で、能力２．８ｋｗ、リモコン据付位置条件中央にて温度ムラ検知による部屋形状の結果を示す図。
【図３７】実施の形態１を示す図で、左壁面１６までの距離が左壁最大の距離を超えている状態である場合は、左壁最大の位置まで縮小させた結果を示す図。
【図３８】実施の形態１を示す図で、修正後の図３７の部屋形状面積が面積最大値１９ｍ２以上に大きな場合は、正面壁１９の距離を最大面積１９ｍ２になるまで下げて調整した結果を示す図。
【図３９】実施の形態１を示す図で、左壁面までの距離が左壁最小に満たない場合に左壁最小の領域まで拡大することにより調整した結果を示す図。
【図４０】実施の形態１を示す図で、修正後の部屋形状面積を算出することにより適正面積内にあるか否を判断する例を示す図。
【図４１】実施の形態１を示す図で、各壁面間距離である、正面壁１９までの距離Ｙ座標Ｙ＿ｆｒｏｎｔ、右壁面１７のＸ座標Ｘ＿ｒｉｇｈｔ、左壁面１６のＸ座標Ｘ＿ｌｉｇｈｔを求めた結果を示す図。
【図４２】実施の形態１を示す図で、統合条件にて求められた正面壁１９、左右壁（左壁面１６、右壁面１７）間のそれぞれの距離から求められた床面境界線上の各座標点を熱画像データに逆投影させた図。
【図４３】実施の形態１を示す図で、それぞれの各壁領域を太線で囲った図。
【図４４】実施の形態１を示す図で、床面１８の手前側領域に対して左右方向５分割の領域（Ａ１、Ａ２、Ａ３、Ａ４、Ａ５）に分けた図。
【図４５】実施の形態１を示す図で、床面の奥側領域に対して前後３分割の領域（Ｂ１、Ｂ２、Ｂ３）に分けた図。
【図４６】実施の形態１を示す図で、計算式にて求めた輻射温度の一例を示す図。
【図４７】実施の形態１を示す図で、カーテンの開閉状態を検知する動作のフローチャート図。
【図４８】実施の形態１を示す図で、暖房運転時の右壁面の窓のカーテンが開いている状態のときの熱画像データを示す図。
【図４９】実施の形態１を示す図で、静電霧化装置３００の概略構成図。
【図５０】実施の形態１を示す図で、静電霧化装置３００の側面図。
【図５１】実施の形態１を示す図で、水供給手段の冷却部１０８の概略構成図。
【図５２】実施の形態１を示す図で、水印加電極１０２の概略構成図。
【図５３】実施の形態１を示す図で、水印加電極１０２の変形例の概略構成図。
【図５４】実施の形態１を示す図で、変形例１の静電霧化装置４００の側面図。
【図５５】実施の形態１を示す図で、変形例２の静電霧化装置５００の側面図。
【図５６】実施の形態１を示す図で、変形例２の静電霧化装置５００に用いる水印加電極１０２の上面図。
【図５７】実施の形態１を示す図で、変形例３の静電霧化装置６００の側面図。
【図５８】実施の形態１を示す図で、変形例４の静電霧化装置７００の側面図。
【図５９】実施の形態１を示す図で、変形例５の静電霧化装置８００の側面図。
【図６０】実施の形態１を示す図で、水印加電極１０２に用いる発泡金属の説明用拡大概念図。
【図６１】実施の形態１を示す図で、発泡金属と比較例との吸水量を比較した図。
【図６２】実施の形態１を示す図で、発泡金属と比較例との電気抵抗率を比較した図。
【図６３】実施の形態１を示す図で、発泡金属と比較例との静電霧化量を比較した図。
【図６４】実施の形態１を示す図で、発泡金属の素材の違いによるオゾン発生量を比較した図。
【図６５】実施の形態１を示す図で、静電霧化装置３００〜８００のいずれかを備えた空気調和機２００の縦断面図。
【図６６】実施の形態１を示す図で、空気調和機の断面図。
【図６７】実施の形態１を示す図で、空気調和機の風向制御に関わる駆動部分の構造を示す風向制御駆動部構造図。
【図６８】実施の形態１を示す図で、空気調和機の左右風向制御板の図示を省略した正面図。
【図６９】実施の形態１を示す図で、空気調和機の上下風向制御板の図示を省略した正面図。
【図７０】実施の形態１を示す図で、空気調和機本体が壁上部に取り付けられた部屋を示す図で、室内空間が１５のエリア区画に分割された状態で空気調和機が認識していることを示す図。
【図７１】実施の形態１を示す図で、空気調和機の制御装置２１５を構成するマイクロコンピュータを示すブロック図。
【図７２】実施の形態１を示す図で、空気調和機が室内空間を１５のエリア区画に分割された状態で認識していることを真上から見た状態を示す図。
【図７３】実施の形態１を示す図で、空気調和機の認識している１５の二次元状のエリア区画から成るエリア区画群において、エリア区画Ａ２とエリア区画Ｅ２の２つのエリア区画に人体が検出されたときに空気調和機が認識している状態を示す図。
【図７４】実施の形態１を示す図で、空気調和機のエリア区画Ａ２とエリア区画Ｅ２の２つのエリア区画に人体が検出されたときに左右風向制御用ステッピングモーターを駆動させる際の設定値を決める奥行き方向一次元データの作成状況を示す図。
【図７５】実施の形態１を示す図で、空気調和機の左右風向制御板の動作を決定する左右風向設定表を示す図。
【図７６】実施の形態１を示す図で、空気調和機の認識している１５の二次元状のエリア区画から成るエリア区画群を左右方向に３つの領域に分割した状態を示す図。
【図７７】実施の形態１を示す図で、空気調和機のエリア区画Ａ２とエリア区画Ｅ２の２つのエリア区画に人体が検出されたときに上下風向制御用ステッピングモーターを駆動させる際の設定値を決める左右方向一次元データの作成状況を示す図。
【図７８】実施の形態１を示す図で、空気調和機の上下風向制御板（左）２０６ａと上下風向制御板（右）２０６ｂの動作を決めるための上下風向制御板（左）−（右）動作決定表を示す図。
【図７９】実施の形態１を示す図で、空気調和機の上下風向制御板の動作を決定する上下風向設定表を示す図。
【図８０】実施の形態１を示す図で、空気調和機のエリア区画Ａ２とエリア区画Ｅ２の２つのエリア区画に人体が検出されたときの風向動作を示す斜視図。
【図８１】実施の形態１を示す図で、空気調和機のエリア区画Ａ２とエリア区画Ｅ２の２つのエリア区画に人体が検出されたときの左右風向制御板の図示を省略した正面図。
【図８２】実施の形態１を示す図で、空気調和機のエリア区画Ａ２とエリア区画Ｅ２の２つのエリア区画に人体が検出されたときの上下風向制御板の図示を省略した正面図。
【図８３】実施の形態１を示す図で、空気調和機の空気調和機本体が壁上部に取り付けられた部屋を示す図で、エリア区画Ａ２とエリア区画Ｅ２の２つのエリア区画に人体が検出されたときの空気調和機の風向動作状態を示す図。
【発明を実施するための形態】
【００１０】
実施の形態１．
先ず、本実施の形態の概要を説明する。空気調和機（室内機）は、温度検出対象範囲を走査しながら温度を検出する赤外線センサを備え、赤外線センサにより熱源検知を行って人や発熱機器の存在を検知する。赤外線センサから算出される床面エリアを、例えば１５のエリアに区分することにより、赤外線センサ３から求められる人の位置を１５のエリア区画へ座標点を置き換え、高分解能による高精度な人位置情報にのっとった気流制御を実現する。
【００１１】
また、空気調和機（室内機）は、静電ミストを生成する静電霧化装置を備える。この静電霧化装置から生成された静電ミストをのせた気流を直接人体の位置エリアに吹きつけるのではなく、例えば人体検知位置エリアの両側に吹き分けることで直接気流を人体に当てることによる肌水分が落ちる（下がる）ことをさけ、且つ帯電されたで静電ミストが人体に両サイドから寄ってくること（電位差のある人体へ寄りやすく）で効率よく肌水分量を上げる効果を持つことを特徴とする。
【００１２】
また、空気調和機（室内機）は、本体内部に制御装置が搭載されている。制御装置（制御部）は、入力部、ＣＰＵ、メモリ、出力部から構成され、さらにＣＰＵ内部には人体検出判断部、目標エリア決定部、エリア風向制御部が内蔵されている。制御装置は、赤外線センサ（人体検知センサ）の情報を基に、空気調和機（室内機）から吹き出す静電霧化装置から生成された静電ミストをのせた気流の吹き分けを行うことを特徴とする。
【００１３】
また、赤外線センサからの窓位置情報をもとに、人体検知のないときつまり室内に人がいない場合には、窓位置にあるカーテン等に直接静電ミストを吹きつける気流制御を行うことで、カーテン等の効率のよい除菌を行うことができることを特徴とする。
【００１４】
通常室内機は部屋の高所の壁に据付られるが、室内機が据付られる壁における左右の位置は、様々である。壁の左右方向の略中央に据付られる場合もあるし、室内機から見て右側又は左側の壁に接近して据付られる場合もある。以下、この明細書では、部屋の左右方向とは、室内機（赤外線センサ３）から見た左右方向と定義する。
【００１５】
図１乃至図８３は実施の形態１を示す図で、図１、図２は空気調和機１００の斜視図、図３は空気調和機１００の縦断面図、図４は赤外線センサ３と受光素子の各配光視野角を示す図、図５は赤外線センサ３を収納する筐体５の斜視図、図６は赤外線センサ３付近の斜視図（（ａ）は赤外線センサ３が右端端部へ可動した状態、（ｂ）は赤外線センサ３が中央部へ可動した状態、（ｃ）は赤外線センサ３が左端端部へ可動した状態）、図７は赤外線センサ３の縦断面における縦配光視野角を示す図、図８は主婦１２が幼児１３を抱いている部屋の熱画像データを示す図、図９はは空気調和機１００の能力帯により規定された冷房運転時の畳目安ならびに広さ（面積）を示す図、図１０は図９記載の能力毎の広さ（面積）の最大面積を用いることで、能力毎における床面の広さ（面積）を規定した図、図１１は能力２．２ｋｗにおける縦横の部屋形状制限値を示す図、図１２は空気調和機１００の能力帯にから求まる縦横距離条件を示す図、図１３は能力２．２ｋｗ時の中央据付時条件を示す図、図１４は能力２．２ｋｗ時の左コーナー据付時（使用者から見て）の場合を示す図、図１５は空気調和機１００の能力２．２ｋｗ時に、リモコンの据付位置ボタンが中央に設定された際の熱画像データ上の床面と壁面との位置関係を示す図、図１６は温度ムラによる部屋形状の算出フローを示す図、図１７は図１５の熱画像データ上にて壁面と床面との境界となる上下の画素間を示す図、図１８は図１７にて設定した境界線６０の位置に対し、下方向に１画素そして上方向に２画素の合計３画素間において上下画素間の生じている温度を検知する図、図１９は画素検知領域内において、温度ムラ境界を検知する温度ムラ境界検知部５３により閾値を超えた画素、または、傾きの最大値を超えた画素を黒色にてマーキングしている図、図２０は温度ムラによる境界線を検知した結果を示す図、図２１は熱画像データ上において、境界線の下部に引かれた各素子の座標点（Ｘ，Ｙ）を床面座標変換部５５が床面座標点として変換し、床面１８に投影した図、図２２は能力２．２ＫＷ、リモコン中央据付条件時における初期設定条件での正面壁１９位置付近の温度差を検知する対象画素の領域を示す図、図２３は床面１８に各熱画像データの境界線素子座標を投影した図２１において、図２２に示した正面壁１９位置付近を検知する各素子の散布素子座標点の平均を求め正面壁１９と床面１８との壁面位置を求めた図、図２４は人体検知位置履歴による部屋形状の算出フローを示す図、図２５は直前の背景画像と人体の存在する熱画像データとの差分を行い、閾値Ａ並びに閾値Ｂをもって人体の検知を判断する結果を示す図、図２６は熱画像データ差分から求めた人体検知位置を床面座標変換部５５にて座標変換を行った人位置座標（Ｘ，Ｙ）点として、Ｘ軸、Ｙ軸毎にカウント積算した様子を示す図、図２７は人体位置履歴による部屋形状の判定結果を示す図、図２８はＬ字型部屋形状のリビングにおける人体検知位置履歴の結果を示す図、図２９は横方向Ｘ座標における、床面領域（Ｘ座標）に蓄積されたカウント数を示す図、図３０は図２９にて求めた床面領域（Ｘ座標）を領域Ａ・Ｂ・Ｃと均等３分割を行い、蓄積された最大の蓄積数値がどこの領域に存在するかを求め、同時に各領域毎の最大値と最小値を求る図、図３１は領域Ｃ内に蓄積データの最大蓄積数が存在する場合、最大蓄積数に対して９０％以上のカウント数が領域内にγ本（０．３ｍ毎に分解される領域の中の数）以上あることをもって判断する手段を示す図、図３２は領域Ａ内に蓄積データの最大蓄積数が存在する場合、最大蓄積数に対して９０％以上のカウント数が領域内にγ本（０．３ｍ毎に分解される領域の中の数）以上あることをもって判断する手段を示す図、図３３はＬ字型部屋形状であると判断された場合、最大の蓄積数に対し５０％以上の個所を求める図、図３４は図３３にて求めたＬ字型部屋形状の床面と壁面との境界点と閾値Ａ以上におけるＸ座標、Ｙ座標の床面領域から求めたＬ字型部屋形状の床面領域形状を示す図、図３５は三つの情報を統合するフローを示す図、図３６は能力２．８ｋｗ、リモコン据付位置条件中央にて温度ムラ検知による部屋形状の結果を示す図、図３７は左壁面１６までの距離が左壁最大の距離を超えている状態である場合は、左壁最大の位置まで縮小させた結果を示す図、図３８は修正後の図３７の部屋形状面積が面積最大値１９ｍ２以上に大きな場合は、正面壁１９の距離を最大面積１９ｍ２になるまで下げて調整した結果を示す図、図３９は左壁面までの距離が左壁最小に満たない場合に左壁最小の領域まで拡大することにより調整した結果を示す図、図４０は修正後の部屋形状面積を算出することにより適正面積内にあるか否を判断する例を示す図、図４１は各壁面間距離である、正面壁１９までの距離Ｙ座標Ｙ＿ｆｒｏｎｔ、右壁面１７のＸ座標Ｘ＿ｒｉｇｈｔ、左壁面１６のＸ座標Ｘ＿ｌｉｇｈｔを求めた結果を示す図、図４２は統合条件にて求められた正面壁１９、左右壁（左壁面１６、右壁面１７）間のそれぞれの距離から求められた床面境界線上の各座標点を熱画像データに逆投影させた図、図４３それぞれの各壁領域を太線で囲った図、図４４は床面１８の手前側領域に対して左右方向５分割の領域（Ａ１、Ａ２、Ａ３、Ａ４、Ａ５）に分けた図、図４５は床面の奥側領域に対して前後３分割の領域（Ｂ１、Ｂ２、Ｂ３）に分けた図、図４６は計算式にて求めた輻射温度の一例を示す図、図４７はカーテンの開閉状態を検知する動作のフローチャート図、図４８は暖房運転時の右壁面の窓のカーテンが開いている状態のときの熱画像データを示す図、図４９は静電霧化装置３００の概略構成図、図５０は静電霧化装置３００の側面図、図５１は水供給手段の冷却部１０８の概略構成図、図５２は水印加電極１０２の概略構成図、図５３は水印加電極１０２の変形例の概略構成図、図５４は変形例１の静電霧化装置４００の側面図、図５５は変形例２の静電霧化装置５００の側面図、図５６は変形例２の静電霧化装置５００に用いる水印加電極１０２の上面図、図５７は変形例３の静電霧化装置６００の側面図、図５８は変形例４の静電霧化装置７００の側面図、図５９は変形例５の静電霧化装置８００の側面図、図６０は水印加電極１０２に用いる発泡金属の説明用拡大概念図、図６１は発泡金属と比較例との吸水量を比較した図、図６２は発泡金属と比較例との電気抵抗率を比較した図、図６３は発泡金属と比較例との静電霧化量��比較した図、図６４は発泡金属の素材の違いによるオゾン発生量を比較した図、図６５は静電霧化装置３００〜８００のいずれかを備えた空気調和機２００の縦断面図、図６６は空気調和機の断面図、図６７は空気調和機の風向制御に関わる駆動部分の構造を示す風向制御駆動部構造図、図６８は空気調和機の左右風向制御板の図示を省略した正面図、図６９は空気調和機の上下風向制御板の図示を省略した正面図、図７０は空気調和機本体が壁上部に取り付けられた部屋を示す図で、室内空間が１５のエリア区画に分割された状態で空気調和機が認識していることを示す図、図７１は空気調和機の制御装置２１５を構成するマイクロコンピュータを示すブロック図、図７２は空気調和機が室内空間を１５のエリア区画に分割された状態で認識していることを真上から見た状態を示す図、図７３は空気調和機の認識している１５の二次元状のエリア区画から成るエリア区画群において、エリア区画Ａ２とエリア区画Ｅ２の２つのエリア区画に人体が検出されたときに空気調和機が認識している状態を示す図、図７４は空気調和機のエリア区画Ａ２とエリア区画Ｅ２の２つのエリア区画に人体が検出されたときに左右風向制御用ステッピングモーターを駆動させる際の設定値を決める奥行き方向一次元データの作成状況を示す図、図７５は空気調和機の左右風向制御板の動作を決定する左右風向設定表を示す図、図７６は空気調和機の認識している１５の二次元状のエリア区画から成るエリア区画群を左右方向に３つの領域に分割した状態を示す図、図７７は空気調和機のエリア区画Ａ２とエリア区画Ｅ２の２つのエリア区画に人体が検出されたときに上下風向制御用ステッピングモーターを駆動させる際の設定値を決める左右方向一次元データの作成状況を示す図、図７８は空気調和機の上下風向制御板（左）２０６ａと上下風向制御板（右）２０６ｂの動作を決めるための上下風向制御板（左）−（右）動作決定表を示す図、図７９は空気調和機の上下風向制御板の動作を決定する上下風向設定表を示す図、図８０は空気調和機のエリア区画Ａ２とエリア区画Ｅ２の２つのエリア区画に人体が検出されたときの風向動作を示す斜視図、図８１は空気調和機のエリア区画Ａ２とエリア区画Ｅ２の２つのエリア区画に人体が検出されたときの左右風向制御板の図示を省略した正面図、図８２は空気調和機のエリア区画Ａ２とエリア区画Ｅ２の２つのエリア区画に人体が検出されたときの上下風向制御板の図示を省略した正面図、図８３は空気調和機の空気調和機本体が壁上部に取り付けられた部屋を示す図で、エリア区画Ａ２とエリア区画Ｅ２の２つのエリア区画に人体が検出されたときの空気調和機の風向動作状態を示す図である。
【００１６】
図１乃至図３により、空気調和機１００（室内機）の全体構成を説明する。図１、図２共に、空気調和機１００の外観斜視図であるが、見る角度が異なる点と、図１は上下フラップ４３（上下風向制御板、左右に２個）が閉じているのに対して、図２は上下フラップ４３が開き奥の左右フラップ４４（左右風向制御板、多数）が見えている点とが異なる。
【００１７】
図１〜図３に示すように、空気調和機１００（室内機）は、略箱状の室内機筺体４０（本体と定義する）の上面に部屋の空気を吸い込む吸込口４１が形成されている。
【００１８】
また、前面の下部に調和空気を吹き出す吹出口４２が形成されていて、吹出口４２には吹き出し風の風向を制御する上下フラップ４３と、左右フラップ４４とが設けられる。上下フラップ４３は吹き出し風の上下風向を制御し、左右フラップ４４は吹き出し風の左右風向を制御する。
【００１９】
室内機筺体４０の前面の下部で、吹出口４２の上に、赤外線センサ３が設けられている。赤外線センサ３は、俯角約２４．５度の角度で下向きに取り付けられている。
【００２０】
俯角とは、赤外線センサ３の中心軸と水平線とがなす角度である。別の言い方をすると、赤外線センサ３は、水平線に対して約２４．５度の角度で下向きに取り付けられている。
【００２１】
図３に示すように、空気調和機１００（室内機）は、内部に送風機４５を備え、該送風機４５を囲むように熱交換器４６が配置されている。
【００２２】
送風機４５には、径が比較的小さく横に長いファンをもつクロスファローファンを用いる。クロスフローファンは、プロペラファンのように発生した風が渦巻き状にならず、ファンの長さの幅の静かな層流となる。静圧が低く大きな風量を得ることができる。
【００２３】
クロスファローファンは、別名、ラインフローファン（登録商標）、タンジェンシャルファン、横流ファン、または、貫流ファンともいう。羽根車の一方の半径方向から吸い込み、９０°（直角）程度の半径方向から送風するもので、吹き出し口の長さを長くすることが容易なので、壁掛け型空気調和機の室内機ファン、カーテンウオール部のスリット型吹き出し口等に用いられる。
【００２４】
熱交換器４６は、室外機（図示せず）に搭載された圧縮機等と接続されて冷凍サイクルを形成している。冷房運転時は蒸発器として、暖房運転時は凝縮器として動作する。
【００２５】
熱交換器４６は、側面視の断面形状が略逆Ｖ字形状である。熱交換器４６は、前面上部熱交換器４６ａ、前面下部熱交換器４６ｂ、背面熱交換器４６ｃで構成される。
【００２６】
また、熱交換器４６は、伝熱管とフィンとで構成されるクロスフィンチューブ型熱交換器である。
【００２７】
吸込口４１から送風機４５により室内空気が吸い込まれ、熱交換器４６で冷凍サイクルの冷媒と熱交換を行い調和空気を生成し、送風機４５を通過して吹出口４２から調和空気が室内へ吹き出される。
【００２８】
吹出口４２では、上下フラップ４３と左右フラップ４４とにより、上下方向及び左右方向の風向が制御される。図３では、上下フラップ４３は閉じている。
【００２９】
図４に示すように、赤外線センサ３は、金属缶１内部に８個の受光素子（図示せず）を縦方向に一列に配列している。金属缶１の上面には、８個の受光素子に赤外線を通すためのレンズ製の窓（図示せず）が設けられている。各受光素子の配光視野角２は、縦方向７度、横方向８度である。尚、各受光素子の配光視野角２が、縦方向７度、横方向８度のものを示したが、縦方向７度、横方向８度に限定されるものではない。各受光素子の配光視野角２に応じて、受光素子の数は変化する。例えば、１個の受光素子の縦配光視野角と受光素子の数との積が一定になるようにすればよい。
【００３０】
赤外線センサ３付近を裏側（空気調和機１００の内部から）から見た図５に示すように、赤外線センサ３は、筐体５内に収納されている。そして、筐体５の上方に赤外線センサ３を駆動するステッピングモーター６が設けられる。筐体５と一体の取付部７が空気調和機１００の前面下部に固定されることにより、赤外線センサ３が空気調和機１００に取り付けられる。赤外線センサ３が空気調和機１００に取り付けられた状態では、ステッピングモーター６と筐体５は垂直である。そして、筐体５の内部で赤外線センサ３が、俯角約２４．５度の角度で下向きに取り付けられている。
【００３１】
赤外線センサ３は、ステッピングモーター６により左右方向に所定角度範囲を回転駆動する（このような回転駆動をここでは、可動する、と表現する）。例えば、図６に示すように、右端端部（ａ）から中央部（ｂ）を経由して左端端部（ｃ）まで可動する（塗りつぶしなしの矢印で示す）。
【００３２】
左端端部（ｃ）に来ると逆方向に反転して、左端端部（ｃ）から中央部（ｂ）を経由して右端端部（ａ）まで可動する（塗りつぶしの矢印で示す）。この動作を繰り返す。
【００３３】
赤外線センサ３は、部屋の温度検出対象範囲を左右に走査しながら温度検出対象の温度を検出する。尚、ここでの左右は、空気調和機１００側から見た場合の左右である。
【００３４】
ここで、赤外線センサ３による部屋の壁や床の熱画像データの取得方法について述べる。尚、赤外線センサ３等の制御は、所定の動作がプログラムされたマイクロコンピュータによって行われる。所定の動作がプログラムされたマイクロコンピュータを制御部と定義する。以下の説明では、一々夫々の制御を制御部（所定の動作がプログラムされたマイクロコンピュータ）が行うという記載は省略する。
【００３５】
部屋の壁や床の熱画像データを取得する場合、赤外線センサ３をステッピングモーター６により左右方向に可動し、ステッピングモーター６の可動角度（赤外線センサ３の回転駆動角度）１．６度毎に各位置で赤外線センサ３を所定時間（０．１〜０．２秒）停止させる。
【００３６】
赤外線センサ３を停止した後、所定時間（０．１〜０．２秒より短い時間）待ち、赤外線センサ３の８個の受光素子の検出結果（熱画像データ）を取り込む。
【００３７】
赤外線センサ３の検出結果を取り込み終了後、再びステッピングモーター６を駆動（可動角度１．６度）した後停止し、同様の動作により赤外線センサ３の８個の受光素子の検出結果（熱画像データ）を取り込む。
【００３８】
上記の動作を繰り返し行い、左右方向に９４箇所の赤外線センサ３の検出結果をもとに検知エリア内の熱画像データを演算する。
【００３９】
ステッピングモーター６の可動角度１．６度毎に９４箇所で赤外線センサ３を停止させて熱画像データを取り込むので、赤外線センサ３の左右方向の可動範囲（左右方向に回転駆動する角度範囲）は、約１５０．４度である。
【００４０】
図７は空気調和機１００を部屋の床面から１８００ｍｍの高さに据付けた状態で、８個の受光素子が縦に一列に配列された赤外線センサ３の縦断面における縦配光視野角を示す。
【００４１】
図７に示す角度７°は、１個の受光素子の縦配光視野角である。
【００４２】
また、図７の角度３７．５°は、赤外線センサ３の縦視野領域に入らない領域の空気調和機１００が取り付けられた壁からの角度を示す。赤外線センサ３の俯角が０°であれば、この角度は、９０°−４（水平より下の受光素子の数）×７°（１個の受光素子の縦配光視野角）＝６２°になる。本実施の形態の赤外線センサ３は、俯角が２４．５°であるから、６２°−２４．５°＝３７．５°になる。
【００４３】
図８は８畳相当の部屋で主婦１２が幼児１３を抱いている一生活シーンを赤外線センサ３を左右方向に可動させながら得られた検出結果をもとに熱画像データとして演算した結果を示す。
【００４４】
図８は季節が冬で、且つ天候が曇りの日に取得した熱画像データである。従って、窓１４の温度は、１０〜１５℃と低い。主婦１２と幼児１３の温度が最も高い。特に、主婦１２と幼児１３の上半身の温度は、２６〜３０℃である。このように、赤外線センサ３を左右方向に可動させることにより、例えば、部屋の各部の温度情報を取得することができる。
【００４５】
次に、空気調和機の能力帯と、空調運転時に生じる床面と壁面との温度差（温度ムラ）情報と、人体検知位置の履歴とから総合判断して部屋形状を決定する部屋形状検知手段（空間認識検知）について述べる。
【００４６】
赤外線センサ３にて取得する熱画像データにより、空調している空調エリア内の床面広さを求め、熱画像上の空調エリア内における壁面位置を求める。
【００４７】
熱画像上で床面、壁面（壁面とは、空気調和機１００から見た正面壁、並びに左右の壁面）の領域が解ることから、個々の壁面平均温度を求めることが可能となり、熱画像上にて検出された人体に対する壁面温度を考慮した精度のよい体感温度を求めることが可能となる。
【００４８】
熱画像データ上で床面広さを求める手段は、下記に示す三つの情報を統合することで、精度のよい床面広さの検知並びに部屋形状を検知可能とする。
（１）空気調和機１００の能力帯並びにリモコンの据付位置ボタン設定から求める形状制限値および初期設定値の部屋形状；
（２）空気調和機１００の運転中に生じる床と壁の温度ムラから求まる部屋形状；
（３）人体検知位置履歴から求まる部屋形状。
【００４９】
リモコンの据付位置ボタンは、リモコンの所定の位置（通常は使用しない箇所、例えば、電池収納部）に設けられ、空気調和機の据付時に据付業者が設定する場合が多い。人から見て空気調和機が部屋の右、中央、左のどこに据え付けられたかにより、リモコンの据付位置ボタンはそれに合わせて設定される。
【００５０】
空気調和機１００は、空調する部屋の広さを基準に対応する能力帯に分けられている。図９は空気調和機１００の能力帯により規定された冷房運転時の畳目安ならびに広さ（面積［ｍ２］）を示した図である。例えば、空気調和機１００の能力２．２ｋｗの場合は、冷房運転時における空調広さの畳目安は６〜９畳となる。６畳から９畳の広さ（面積）は、１０〜１５ｍ２である。
【００５１】
図１０は、図９記載の能力毎の広さ（面積）の最大面積を用いることで、能力毎における床面の広さ（面積）を規定した図である。能力２．２ｋｗの場合、図９の広さ（面積）の最大面積は１５ｍ２となる。１５ｍ２の平方根を求めることで縦横比率を１：１とした場合の縦横の距離は各３．９ｍとなる。最大面積１５ｍ２を固定し、縦横比率を１：２〜２：１の範囲で可変させた場合の縦横の距離で、縦横の最大距離と最小距離を設定する。能力２．２ｋｗの場合、縦の最大距離は５．５ｍ、縦の最小距離は２．７ｍである。また、横の最大距離は５．５ｍ、横の最小距離は２．７ｍである。
【００５２】
図１１に、能力２．２ｋｗにおける縦横の部屋形状制限値の図を示す。能力毎の最大面積１５ｍ２の平方根より縦横比率１：１の場合の縦横の各距離は３．９ｍとなる。最大面積１５ｍ２を固定し、縦横比率を１：２〜２：１の範囲で可変させた場合の縦横の距離で、縦横の最大距離を設定する。縦横比率１：２の場合は、縦２．７ｍ：横５．５ｍとなる。同様に縦横比率２：１の場合は、縦５．５ｍ：横２．７ｍとなる。
【００５３】
図１２に空気調和機１００の能力帯から求まる縦横距離条件を示す。図１２の初期値の値は、能力毎における対応面積の中間面積の平方根から求めている。例えば能力２．２ｋｗの適応面積は１０〜１５ｍ２となり、中間面積は１２ｍ２となる。１２ｍ２の平方根より初期値３．５ｍを求めている。以下能力帯毎における初期値の縦横距離の算出は同様な考え方から求めている。同時に最小値（ｍ）、最大値（ｍ）は図１０の算出の通りである。
【００５４】
従って、空気調和機１００の能力毎により求まる部屋形状の初期値は、図１２の初期値［ｍ］を縦横の距離とする。但し、リモコンからの据付位置条件（部屋の右、中央、左）により空気調和機１００の設置位置の原点を可変することとする。
【００５５】
図１３に、能力２．２ｋｗ時の中央据付時条件を示す。図１３に示すように、初期値の横距離中間地点を空気調和機１００の原点とする。空気調和機１００の原点は、縦横３．５ｍの部屋の中央部（横から１．８ｍ）の位置関係となる。
【００５６】
図１４に、能力２．２ｋｗ時の左コーナー据付時（使用者から見て）の場合を示す。コーナー据付時の場合は、左右に近いほうの壁までの距離を空気調和機１００の原点から（横幅の中心点）０．６ｍの距離とする。  
【００５７】
従って、（１）空気調和機１００の能力帯並びにリモコンの据付位置ボタン設定から求める形状制限値および初期設定値の部屋形状は、上記記載の条件にて空気調和機１００の能力帯から設定された床面広さに、リモコンの据付位置条件をもって空気調和機１００の据付位置を決めることで、赤外線センサ３から取得される熱画像データ上に床面と壁面との境界線を求めることを可能としている。
【００５８】
図１５に、空気調和機１００の能力２．２ｋｗ時に、リモコンの据付位置ボタンが中央に設定された際の熱画像データ上の床面と壁面との位置関係を示す。赤外線センサ３側から見て左壁面１６、正面壁１９、右壁面１７、そして床面１８が熱画像データ上に示されている様子がうかがえる。初期設定時における能力２．２ｋｗの床面形状寸法は図１３に示す通りである。以下、左壁面１６、正面壁１９、右壁面１７をまとめて壁面と呼ぶ。
【００５９】
次に、（２）空気調和機１００の運転中に生じる床と壁の温度ムラから求まる部屋形状の算出手段について説明する。図１６に、温度ムラによる部屋形状の算出フローを示す。上記記述の赤外線センサ３を駆動する赤外線センサ駆動部５１から、赤外線画像取得部５２にて熱画像データとして生成された縦８＊横９４の熱画像上において、基準壁位置算出部５４にて、熱画像データ上における温度ムラ検知を行う範囲を制約することを特徴とする。
【００６０】
以下、図１５における、空気調和機の能力２．２ＫＷ時でリモコン据付条件が中央時条件にて基準壁位置算出部５４の機能説明を行う。
【００６１】
図１７は、図１５の熱画像データ上に壁面と床面１８との境界となる上下の画素間の境界線６０を示している。境界線６０より上の画素が壁面温度を検知する配光画素となり、境界線６０より下側の画素が床面温度を検知する配光画素となる。
【００６２】
そして、図１８において、図１７にて設定した境界線６０の位置に対し、下方向に１画素そして上方向に２画素の合計３画素間において、上下画素間の生じている温度を検知することを特徴とする。
【００６３】
全熱画像データすべての画素間にて温度差を探すのではなく、壁面と床面との境界線６０上を中心に温度差を検知して壁面と床面との境界線６０上に生じる温度を検知することを特徴とする。
【００６４】
全画素検知による余分なソフト演算処理の低減（演算処理時間の短縮と負荷低減）と誤検知処理（ノイズデバンス処理）を併せ持つことを特徴とする。
【００６５】
次に上記記載の画素間領域に対する、温度ムラによる境界を検知する温度ムラ境界検知部５３は、
（ａ）床面温度と壁面温度の熱画像データから得られる絶対値による判断手段、（ｂ）検知領域内における上下画素間における温度差の奥行き方向における傾き（１次微分）の最大値による判断手段、（ｃ）検知領域内における上下画素間における温度差の奥行き方向における傾きの傾き（２次微分）の最大値による判断手段のいずれか一つの手段により境界線６０を検知可能とすることを特徴とする。
【００６６】
図１９は、上記画素検知領域内において、温度ムラ境界を検知する温度ムラ境界検知部５３により閾値を超えた画素、または、傾きの最大値を超えた画素を黒色にてマーキングしている。また、上記の温度ムラ境界を検知する閾値または最大値を超えない個所については、マーキングを実施してはいないことを特徴とする。
【００６７】
図２０は、温度ムラによる境界線を検知した結果を示す。画素間の境界線を線引きする条件は、温度ムラ境界検知部５３において、閾値または最大値を超えた黒マーキングされた画素の下部、そして検知領域のおける上下画素間において閾値または、最大値を超えていない列においては、図１７にて基準壁位置算出部５４にて初期設定を行った画素間の基準位置にて線引きすることを条件とする。
【００６８】
そして、熱画像データ上において、境界線の下部に引かれた各素子の座標点（Ｘ，Ｙ）を、床面座標変換部５５が床面座標点として変換し、床面１８に投影したものが図２１となる。９４列分の境界線６０の下部に引かれた素子座標が投影される結果となることが理解できる。
【００６９】
図２２は、能力２．２ｋｗ、リモコン中央据付条件時における初期設定条件での正面壁１９位置付近の温度差を検知する対象画素の領域を示す。
【００７０】
先に、床面１８に各熱画像データの境界線素子座標を投影した図２１において、図２２に示した正面壁１９位置付近を検知する各素子の散布素子座標点の平均を求め正面壁１９と床面１８との壁面位置を求めたものが図２３となる。
【００７１】
正面壁境界線線引き手段と同様な考え方で、右壁面１７並びに左壁面１６に対応する各素子の散布素子座標点の平均で境界線を引くこととする。そして左右の左壁面境界線２０、右壁面境界線２１と正面壁境界線２２とを結んだ領域が床面領域となる。
【００７２】
また、より温度ムラ検知による精度のよい床壁境界線を線引きする手段として、図２２にて正面境界線を求める領域の素子座標Ｙの平均値と標準偏差σを求めることで、σ値が閾値以下になる素子対象のみで平均値を再計算する手段もある。
【００７３】
同様に左右壁面境界線算出においても、各素子座標Ｘの平均値と標準偏差σを用いることは可能である。
【００７４】
また、左右壁面境界線を算出する他の一つの手段は、正面壁境界線算出により求まったＹ座標、つまり空気調和機１００据付け側の壁面からの距離に対して、Ｙ座標間距離の中間領域１／３〜２／３に分布された各素子のＸ座標の平均を用いて左右壁面間の境界線を求めることも可能である。いずれの場合においても問題がない。
【００７５】
上記手段による正面左右壁位置算出部５６にて求めることができた空気調和機１００の据付位置を原点とした正面壁１９までの距離Ｙと、左壁面１６までの距離Ｘ＿ｌｅｆｔと、右壁面１７までの距離Ｘ＿ｒｉｇｈｔとを検知履歴蓄積部５７にて各距離総和として積算すると共に距離検出カウンタとして回数を積算していき、検知距離の総和とカウント数との割り算をもって平均化された距離を求めることとする。左右壁についても同様な手段にて求めるものとする。
【００７６】
尚、検知履歴蓄積部５７にてカウントする検知回数が閾値回数より多くなっている場合に限り、温度ムラによる部屋形状の判定結果を有効とする。
【００７７】
次に、（３）人体検知位置履歴から求まる部屋形状の算出について説明する。図２４に人体検知位置履歴による部屋形状の算出フローを示す。人体検出部６１は、赤外線センサ３を駆動する赤外線センサ駆動部５１の出力から赤外線画像取得部５２にて熱画像データとして生成された縦８＊横９４の熱画像データを、直前の熱画像データとの差分を取ることで人体の位置を判断することを特徴としている。
【００７８】
人体の有無ならびに人体の位置を検出する人体検出部６１は、熱画像データの差分を取る際に、人体の比較的表面温度の高い頭部付近を差分検知可能とする閾値Ａと、やや表面温度の低い足元部分の差分検知可能とする閾値Ｂを個々に持つことを特徴としている。
【００７９】
図２５は、直前の背景画像と人体の存在する熱画像データとの差分を行い、閾値Ａ並びに閾値Ｂをもって人体の検知を判断している。閾値Ａを超える熱画像データの差分領域を人体頭部付近と判断し、閾値Ａにて求めた領域に隣接する閾値Ｂを超える熱画像差分領域を求める。その際、閾値Ｂにて求まる差分領域は、閾値Ａにて求められた差分領域に隣接していることを前提とする。つまり、閾値Ｂを超えたのみの差分領域は人体とは判断しない。熱画像データ間の差分閾値の関係は、閾値Ａ＞閾値Ｂとなることを示す。
【００８０】
この手段により求めた人体の領域は、人体の頭部から足元までの領域を検知することを可能とし、人体の足元個所を示す差分領域最下端部の中央部分の熱画像座標Ｘ、Ｙを持って人体位置座標（Ｘ，Ｙ）とする。
【００８１】
熱画像データの差分により求められた人体の足元位置座標（Ｘ，Ｙ）を左記の温度ムラ検知時に説明した図２１のように床面座標点として変換する床面座標変換部５５を介して、人体位置履歴蓄積部６２は人体位置履歴を蓄積していくことを特徴とする。
【００８２】
図２６は熱画像データ差分から求めた人体検知位置を床面座標変換部５５にて座標変換を行った人位置座標（Ｘ，Ｙ）点として、Ｘ軸、Ｙ軸毎にカウント積算した様子を示す。人体位置履歴蓄積部６２において、図２６に示すように、横方向Ｘ座標並びに奥行きＹ座標の最小分解は０．３ｍ毎とする領域を確保し、軸毎に０．３ｍ間隔にて確保された領域に人位置検知毎に発生する位置座標（Ｘ，Ｙ）を、当てはめカウントしていくものとする。
【００８３】
この人体位置履歴蓄積部６２からの人体検知位置履歴情報により、部屋形状である床面１８、壁面（左壁面１６、右壁面１７、正面壁１９）を壁位置判断部５８にて求める。
【００８４】
図２７は人体位置履歴による部屋形状の判定結果を示す。横方向Ｘ座標並びに奥行きＹ座標に蓄積された最大の蓄積数値に対して１０％以上の領域の範囲をもって床面領域と判断することを特徴とする。
【００８５】
次に、人体検知位置履歴の蓄積データから部屋形状が長方形（正方形）なのか、Ｌ字型形状であるのかを推定し、Ｌ字型部屋形状の床面１８と壁面（左壁面１６、右壁面１７、正面壁１９）付近の温度ムラを検知することで精度のよい部屋形状を算出する例を説明する。
【００８６】
図２８は、Ｌ字型部屋形状のリビングにおける人体検知位置履歴の結果を示す。横方向Ｘ座標並びに奥行きＹ座標の最小分解は０．３ｍ毎とする領域を確保され、軸毎に０．３ｍ間隔にて確保された領域に人体検知毎に発生する位置座標（Ｘ，Ｙ）を当てはめカウントしていくものである。
【００８７】
当然、人体はＬ字の部屋形状内を移動することから、左右方向の床面領域（Ｘ座標）並びに奥行方向の床面領域（Ｙ座標）に蓄積されるカウント数は、各Ｘ，Ｙ座標毎の奥行き領域（面積）に比例する形になる。
【００８８】
人体検知位置履歴の蓄積データから部屋形状が長方形（正方形）なのか、Ｌ字型形状であるのか判断する手段を説明する。
【００８９】
図２９は、横方向Ｘ座標における、床面領域（Ｘ座標）に蓄積されたカウント数を示している。閾値Ａは蓄積された最大の蓄積数値に対して１０％以上をもって床面Ｘ方向の距離（幅）と判断することを特徴としている。
【００９０】
そして、図３０に示すように、図２９にて求めた床面領域（Ｘ座標）を領域Ａ・Ｂ・Ｃと均等３分割を行い、蓄積された最大の蓄積数値がどこの領域に存在するかを求め、同時に各領域毎の最大値と最小値を求ることを特徴としている。
【００９１】
蓄積された最大の蓄積数値が領域Ｃ（または領域Ａ）に存在し、領域Ｃ内における最大値と最小値との差がΔα以内であることと、領域Ｃの最大蓄積数値と領域Ａ内における最大蓄積数との差がΔβ以上のとき、Ｌ字型部屋形状であると判断する。
【００９２】
各領域毎の最大値と最小値との差Δαを求めることは、人体検知位置履歴の蓄積データから部屋形状を推定するためのノイズデバンス処理の一つである。図３１に示すように、領域Ｃ内に蓄積データの最大蓄積数が存在する場合、最大蓄積数に対して９０％以上のカウント数が領域内にγ本（０．３ｍ毎に分解される領域の中の数）以上あることをもって判断する手段もある。領域Ｃにて上記演算処理を実施後、領域Ａにても同様な演算を行うことでＬ字型部屋形状であることを判断する（図３２参照）。
【００９３】
上記によりＬ字型部屋形状であると判断された場合は、図３３に示すように、最大の蓄積数に対し５０％以上の個所を求める。本説明は横方向のＸ座標をもって説明しているが、奥行き方向のＹ座標における蓄積データにおいても同様である。  
【００９４】
横方向のＸ座標並びに、奥行き方向のＹ座標の床面領域における最大の蓄積数に対する５０％以上の閾値Ｂを境とする座標点をＬ字型部屋形状の床と壁面との境界点であると判断することを特徴とする。
【００９５】
図３４は、図３３にて求めたＬ字型部屋形状の床面と壁面との境界点と閾値Ａ以上におけるＸ座標、Ｙ座標の床面領域から求めたＬ字型部屋形状の床面領域形状を示す。
【００９６】
上記で求めたＬ字型形状の床面形状結果を温度ムラ部屋形状アルゴリズムにおける基準壁位置算出部５４にフィードバックし、熱画像データ上における温度ムラ検知を行う範囲を再計算させることを特徴とする。
【００９７】
次に部屋形状を求める三つの情報を統合する方法について説明する。但し、Ｌ字型形状の床面形状結果を温度ムラ部屋形状アルゴリズムにおける基準壁位置算出部５４にフィードバックし、熱画像データ上における温度ムラ検知を行う範囲を再計算させる処理は、ここでは除く。
【００９８】
図３５に三つの情報を統合するフローを示す。（２）空気調和機１００運転中に生じる床面１８と壁面との温度ムラから求まる部屋形状は、温度ムラ境界検知部５３により検知履歴蓄積部５７にてカウントする検知回数が閾値回数より多くなっている場合に限り、温度ムラ有効性判定部６４にて、温度ムラによる部屋形状の判定結果を有効とする。
【００９９】
同様に、（３）人体検知位置履歴から求まる部屋形状による人体位置履歴蓄積部６２から求まる部屋形状も、人体位置履歴蓄積部６２が人体位置履歴を蓄積する人体検知位置履歴回数が閾値回数より多くなっている場合に限り、人体位置有効性判定部６３にて、人体検知位置履歴による部屋形状の判定結果を有効とする前提条件のもとで、壁位置判断部５８にて下記の条件により判断を行う。
【０１００】
イ．（２）と（３）共に無効の場合は、（１）による空気調和機１００の能力帯並びにリモコンの据付位置ボタン設定から求める初期設定値の部屋形状とする。
【０１０１】
ロ．（２）が有効で（３）が無効の場合は、（２）による出力結果を部屋形状とする。ただし（２）の部屋形状が（１）の図１２にて決まる辺の長さに収まらない場合、または面積に収まらない場合は、その範囲に伸縮させることとする。ただし、面積により伸縮させる場合は、正面壁１９までの距離をもって修正させることとする。
【０１０２】
具体的な修正方法について説明を行う。能力２．８ｋｗ、リモコン据付位置条件中央にて温度ムラ検知による部屋形状の結果を図３６に示す。図１２より、空気調和機１００の能力２．８ｋｗ時における縦横の辺の長さの最小値は３．１ｍ、最大値は６．２ｍとなる。そのためリモコン中央据付条件から、右側の壁面までの距離Ｘ＿ｒｉｇｈｔ並びに左側の壁面までの距離Ｘ＿ｌｅｆｔの制限距離は、図１２の半分となるように決める。そのため、図中に示した右壁最小／左壁最小の距離は１．５ｍ、右壁最大／左壁最大の距離は３．１ｍとなる。図３６に示した温度ムラによる部屋形状のように、左壁面１６までの距離が左壁最大の距離を超えている状態である場合は、図３７に示すように左壁最大の位置まで矢印の方向に縮小させることとする。
【０１０３】
同様に、図３６に示すように右壁までの距離が右壁最小と右壁最大の間に位置する場合は、そのままの位置関係を維持することとする。図３７のように左壁最大に縮小した後、部屋形状の面積を求め、図１２に示す能力２．８ｋｗ時の面積範囲１３〜１９ｍ２の適正範囲内になっているか確認する。
【０１０４】
仮に修正後の図３７の部屋形状面積が面積最大値１９ｍ２以上に大きな場合は、図３８に示すように、正面壁１９の距離を最大面積１９ｍ２になるまで矢印の方向に下げることで調整することとする。
【０１０５】
図３９に示すケースも同様に、左壁面１６までの距離が左壁最小に満たない場合は、左壁最小の領域まで矢印の方向に拡大することとなる。
【０１０６】
その後、図４０に示すように、修正後の部屋形状面積を算出することにより適正面積内にあるか否を判断することとする。
【０１０７】
ハ．（２）が無効で（３）が有効の場合も、（３）による出力結果を部屋形状とする。上記（２）が有効で（３）が無効の場合のロと同様に、（１）で決まる辺の長さ、面積の制限に適合するように修正を行うこととする。
【０１０８】
ニ．（２）、（３）ともに有効の場合は、（２）の温度ムラによる部屋形状を基準として、それより（３）の人体検知位置履歴による部屋形状の方が、壁までの距離が狭い面があった場合は、最大０．５ｍの幅で（２）の温度ムラによる部屋形状の出力（面積）を狭める方向に修正する。
【０１０９】
逆に、（３）の方が広い場合は修正を行わないこととする。そして、修正後の部屋形状に関しても（１）で決まる辺の長さ、面積の制限に適合するように修正を加える（合わせる）。
【０１１０】
上記の統合条件より、図４１に示すように各壁面間距離である、正面壁１９（図１５）までの距離Ｙ座標Ｙ＿ｆｒｏｎｔ、右壁面１７（図１５）のＸ座標Ｘ＿ｒｉｇｈｔ、左壁面１６（図１５）のＸ座標Ｘ＿ｌｅｆｔを求めることができる。
【０１１１】
次に床壁輻射温度の算出について説明する。上記の統合条件にて求められた正面壁１９、左右壁（左壁面１６、右壁面１７）間のそれぞれの距離から求められた床面境界線上の各座標点を、熱画像データに逆投影させたものを図４２に示す。
【０１１２】
図４２の熱画像データ上にて、床面１８の領域、正面壁１９、左壁面１６、右壁面１７の領域が区切られる様子が理解できる。
【０１１３】
まず壁面温度の算出に関しては、熱画像データ上にて求められた各壁領域の熱画像データから求まる温度データの平均を壁温度とする。
【０１１４】
図４３に示すように、各壁領域を太線で囲った領域がそれぞれの各壁領域となる。
【０１１５】
次に床面１８の温度領域について説明する。熱画像データ上の床面領域を、例えば、左右方向に５分割、奥行き方向に３分割の合計１５分割の領域に細分する。尚、分割する領域の数は、これに限定されるものではなく、任意でよい。
【０１１６】
図４４に示す例は、床面１８の手前側領域に対して左右方向５分割の領域（Ａ１、Ａ２、Ａ３、Ａ４、Ａ５）に分けたものである。
【０１１７】
同様に図４５にて、床面の奥側領域に対して前後３分割の領域（Ｂ１、Ｂ２、Ｂ３）に分けたものである。いずれも領域毎に前後左右の床面領域が重なり合っていることを特徴としている。従って、熱画像データ上には、正面壁１９、左壁面１６、右壁面１７の温度並びに１５分割された床面温度の温度データが生成されることとなる。分割された各床面領域の温度は、夫々の平均温度とする。この熱画像データ上に領域分けされた各温度情報をもとに、熱画像データが撮像する居住エリア内における各人体の輻射温度を求めることを特徴とする。
【０１１８】
以下に示す計算式にて各人体毎の床面並びに壁面からの輻射温度を求める。
【０１１９】
【数１】
2011038652.tif 000003
【０１２０】
ここで、
Ｔ＿ｃａｌｃ：輻射温度
Ｔｆ．ａｖｅ：人体が検知された場所の床面温度
Ｔ＿ｌｅｆｔ：左壁面温度
Ｔ＿ｆｒｏｎｔ：正面壁温度
Ｔ＿ｒｉｇｈｔ：右壁面温度
Ｘｆ：人体検知位置のＸ座標
Ｙｆ：人体検知位置のＹ座標
Ｘ＿ｌｅｆｔ：左側壁面間距離
Ｙ＿ｆｒｏｎｔ：正面壁面間距離
Ｘ＿ｒｉｇｈｔ：右側壁面間距離
α、β、γ：補正係数
【０１２１】
人体が検知された場所における、床面温度と、各壁面の壁面温度と、各壁面間距離の影響を考慮した輻射温度の算出を行うことが可能となっている。
【０１２２】
図４６に上記計算式にて求めた輻射温度の一例を示す。熱画像データ上にて被験者Ａ並びに被験者Ｂが熱画像データ上にて撮像する居住空間内にて検知された条件にて、輻射温度を試算している。正面壁温度Ｔ＿ｆｒｏｎｔ：２３℃、Ｔ＿ｌｅｆｔ：１５℃、Ｔ＿ｒｉｇｈｔ：２３℃、被験者Ａの床面温度Ｔｆ．ａｖｅ＝２０℃、被験者Ｂの床面温度Ｔｆ．ａｖｅ＝２３℃、輻射温度演算式上の補正係数はすべて１にて計算した結果、被験者Ａの輻射温度Ｔｃａｌｃ＝１８℃、被験者Ｂの輻射温度Ｔｃａｌｃ＝２３℃と求めることができる。
【０１２３】
従来床面１８のみの温度にて輻射温度を計算していたが、部屋形状を認識することで求められる壁面温度からの輻射温度を考慮することが可能となり、人体が体全体にて体感する輻射温度を求めることが可能となった。
【０１２４】
次に、上述の部屋形状を認識することで求められる壁面温度を利用して、カーテンの開閉状態を検知する例について説明する。空調中の部屋において、カーテンを開けた状態より閉めた状態の方が空調効率が良い場合が多いため、カーテンを開いていることを検知した場合は、空気調和機１００の利用者にカーテンを閉めるように促すことができるようにするためである。
【０１２５】
図４７のフローチャートにより、カーテンの開閉状態を検知するフローについて説明する。
【０１２６】
尚、以下に示す制御は、所定の動作がプログラムされたマイクロコンピュータによって行われる。ここでも、所定の動作がプログラムされたマイクロコンピュータを制御部と定義する。以下の説明では、一々夫々の制御を制御部（所定の動作がプログラムされたマイクロコンピュータ）が行うという記載は省略する。
【０１２７】
熱画像取得部３０１は、赤外線センサ３を温度検出対象範囲を左右に走査して温度検出対象の温度を検出するにより熱画像を取得する。
【０１２８】
既に述べたように、部屋の壁や床の熱画像データを取得する場合、赤外線センサ３をステッピングモーター６により左右方向に可動し、ステッピングモーター６の可動角度（赤外線センサ３の回転駆動角度）１．６度毎に各位置で赤外線センサ３を所定時間（０．１〜０．２秒）停止させる。赤外線センサ３を停止した後、所定時間（０．１〜０．２秒より短い時間）待ち、赤外線センサ３の８個の受光素子の検出結果（熱画像データ）を取り込む。赤外線センサ３の検出結果を取り込み終了後、再びステッピングモーター６を駆動（可動角度１．６度）した後停止し、同様の動作により赤外線センサ３の８個の受光素子の検出結果（熱画像データ）を取り込む。上記の動作を繰り返し行い、左右方向に９４箇所の赤外線センサ３の検出結果をもとに検知エリア内の熱画像データを演算する。
【０１２９】
床壁検知部３０２は、前述の制御部が、赤外線センサ３を走査して部屋の熱画像データを取得し、熱画像データ上で、以下に示す三つの情報を統合することで、空調している空調エリア内の床面広さを求め、熱画像データ上の空調エリア内における壁領域（壁面位置）を検知する。
（１）空気調和機１００の能力帯並びにリモコンの据付位置ボタン設定から求める形状制限値および初期設定値の部屋形状；
（２）空気調和機１００の運転中に生じる床と壁の温度ムラから求まる部屋形状；
（３）人体検知位置履歴から求まる部屋形状。
【０１３０】
熱画像取得部３０１で取得した熱画像から、前述の処理で生成した背景熱画像（図４３）に対して、以下で説明する温度条件判定部（室温判定部３０３、外気温判定部３０４）の処理を適用することにより、現在の温度条件が窓状態の検知が必要な状態かどうかを判定する。
【０１３１】
窓状態の検知が必要な状態とは、例えば暖房運転時であれば、室温に対し外気温度が一定温度（例えば５℃）より低く、窓が冷えており、カーテンを開けた状態では暖房効率が悪い状態を示す。
【０１３２】
逆に冷房時であれば、室温に対し外気温度が一定温度（例えば５℃）より高く、窓が温まっており、カーテンを開けた状態では冷房効率が悪い状態を示す。
【０１３３】
温度条件判定部の室温判定部３０３は、室温を検知する手段である。室温は、以下に示す方法で概算することができる。
（１）背景熱画像の画像全体の平均温度；
（２）背景熱画像の床領域の平均温度；
（３）空気調和機１００の室内機筺体４０（本体）の吸込口４１に搭載された室温サーミスタ温度計（図示せず）の値。
【０１３４】
外気温判定部３０４は、外気温度を検知する手段である。外気温度は、以下に示す方法で概算することができる。
（１）空気調和機１００の室外機（図示せず）に搭載の外気温サーミスタ温度計（図示せず）の値；
（２）または、以下の方法で代用しても窓状態の検知が必要な状態かどうかの判定には支障がない。
ａ．（暖房時）背景熱画像の壁領域中で最も低い温度の領域；
ｂ．（冷房時）背景熱画像の壁領域中で最も高い温度の領域。
【０１３５】
室温判定部３０３、外気温判定部３０４で検知した室温と外気温度の差が一定値（例えば５℃）以上であれば、以下の窓状態検知部へ処理を進める。
【０１３６】
窓状態検知部では、背景熱画像中の顕著な温度差（所定の温度差、例えば５℃、）がある領域を窓領域３１（図４８）として検知し、その窓領域３１の時間変化を監視することと同時にカーテンを閉める動作を検知可能とする。
【０１３７】
例えば、暖房時の室内温度分布を赤外線センサ３で撮影したとき、図４８に示すような熱画像が得られる。熱画像の中の右壁面の低温部分を窓領域３１として検知する。図４８では、色の濃さで温度の高低を表している。色の濃い方が、温度が低い。
【０１３８】
壁領域内温度差判定部３０５で、背景熱画像において壁領域内の温度差が一定値（例えば５℃）以上あるかどうかを判定する。壁領域内の温度差は、暖房時、冷房時、部屋の広さ、空調開始後の経過時間等により変化するが、空調時には床温度もしくは室温といった基準温度に対し壁温度は差がある場合が多く、単純に基準温度からの差の閾値処理だけで窓領域３１の有無を判定することは難しい。
【０１３９】
そこで、壁領域内温度差判定部３０５では、同じ壁内の温度に顕著な差があれば、窓領域３１が存在するという考えに基づき壁領域内の温度差の有無を判定する。
【０１４０】
壁領域内温度差判定部３０５で、壁領域内に顕著な温度差がないとなった場合は窓領域３１なしと判定し、以降の処理は行わない。
【０１４１】
壁領域内外気温度領域抽出部３０６で、背景熱画像において壁領域内で外気温度に近い領域を抽出する。つまり冷房時には壁領域内で温度の高い領域を、暖房時には壁領域内で温度が低い領域を抽出する。
【０１４２】
背景熱画像において壁領域内で外気温度に近い領域の抽出方法としては、壁領域内の平均温度に対して一定温度（例えば５℃）以上温度の高い（低い）領域を抽出する方法がある。
【０１４３】
ただし、壁領域内外気温度領域抽出部３０６では、微小な領域を誤検出として削除する。例えば、窓の最低サイズを幅８０ｃｍ×高さ８０ｃｍとする。床壁検知部３０２で検知した床壁の位置と、赤外線センサ３の設置角度とから熱画像上の各位置に窓があった場合の熱画像上の窓のサイズが計算できる。計算で算出した熱画像上の窓のサイズが、窓の最低サイズ以下の広さの領域の場合には、微小な領域として削除する。
【０１４４】
窓領域抽出部３０７で、壁領域内外気温度領域抽出部３０６で抽出した領域の中で窓領域３１である可能性の高い領域を抽出する。
【０１４５】
窓領域抽出部３０７は、壁領域内外気温度領域抽出部３０６において、一定時間（例えば１０分）以上窓領域３１として抽出され続けた領域を窓領域３１として検知する。
【０１４６】
窓領域内温度判部３０８で、窓領域抽出部３０７で窓領域３１として検知した領域内の温度変化を監視し、窓として判定された領域の温度が壁平均温度付近まで変化したかどうかを判定し、変化があれば窓領域３１がなくなったと判定する。
【０１４７】
カーテン閉め動作判定部３０９で、窓領域抽出部３０７で検知した窓領域３１の全部が、窓領域内温度判部３０８において窓領域３１ではないと判定されればカーテンが閉められたと判定する。
【０１４８】
また、窓領域抽出部３０７で窓領域３１が検知されている状態で、壁領域内温度差判定部３０５において、窓領域３１なしと判定された場合もカーテンが閉められたと判定する。
【０１４９】
以上のように、熱画像取得部３０１が赤外線センサ３を温度検出対象範囲を左右に走査して温度検出対象の温度を検出することにより熱画像を獲得し、床壁検知部３０２が熱画像データ上の空調エリア内における壁領域を獲得し、温度条件判定部により現在の温度条件が窓状態の検知が必要な状態かどうかを判定し、検知が必要な状態であれば、窓状態検知部が背景熱画像中の顕著な温度差がある領域を窓領域３１として検知し、その窓領域３１の時間変化を監視することと同時にカーテンが閉められた動作を検知可能とする。
【０１５０】
そのように構成することにより、空調に余計な消費電力が必要な状態である外気温の影響を受けた窓の露出を検出し、空気調和機１００の利用者に、カーテン等を閉める動作を促すことを可能とする。
【０１５１】
空気調和機１００の利用者が、カーテン等を閉めることにより、空気調和機１００の消費電力を低減することができる。
【０１５２】
次に、静電霧化現象によりナノメータサイズのミスト（微粒子水）を発生させる静電霧化装置について説明する。
【０１５３】
図４９乃至図５２により、静電霧化装置３００の構成を説明する。本実施の形態の静電霧化装置３００は、図４９に示すように、ナノメータ（１０−９ｍ）サイズの静電ミスト１０１を発生するために、水印加電極１０２と対向電極１０３とを備えている。  
【０１５４】
水印加電極１０２は、ともに板状の胴部１２８と先端霧化部１２９から成り、胴部１２８に供給された水を先端霧化部１２９に移動（搬送）する。先端霧化部１２９の先端（突端）が、対向電極１０３に向くように配置される。水印加電極１０２は材料に多孔質体が用いられるが、ここでは特に三次元網目状構造を有する金属多孔質体である発泡金属を用いている。これについては詳細を後述する。
【０１５５】
水印加電極１０２と対向電極１０３との間には、高電圧電源部１０４から供給される約４〜６ｋＶの高電圧が印加される。ここでは、対向電極１０３がグランド極となって電位０Ｖであり、水印加電極１０２に、−４〜−６ｋＶのマイナスの直流電圧が印加される。
【０１５６】
水印加電極１０２の胴部１２８の形状は略矩形であり、その胴部１２８の上方には、所定の距離Ｌ１（図５０参照）の隙間を空けて水供給手段の一部であるペルチェユニット１０６の冷却面に接する冷却部１０８の複数の冷却フィン１０８ｂが略水平方向に積層された状態で位置している。胴部１２８は、冷却フィン１０８ｂの積層方向に長辺方向幅（長手方向の幅）を伸ばして形成されている。すなわち、略矩形の胴部１２８の長辺方向（長手方向）が冷却部１０８の冷却フィン１０８ｂの積層方向に略一致している。
【０１５７】
水印加電極１０２は、冷却フィン１０８ｂの下方に所定の距離Ｌ１の隙間を空けて位置し、冷却フィン１０８ｂの積層方向に長手方向（長辺方向）の幅を伸ばす平板状の胴部１２８を有している。そして、胴部１２８の短辺方向が冷却フィン１０８ｂの突出方向に略一致している。胴部１２８は、長辺方向の幅が短辺方向の幅の３倍以上ある細長い形状である。そして板状の水印加電極１０２は、その板厚が胴部１２８の短辺方向幅よりも小さいものである。
【０１５８】
なお、胴部１２８の形状は略矩形と説明しているが、長辺と短辺のなす角度が直角である完全なる長方形に限定されるものではなく、短辺の長辺に対する角度が鋭角や鈍角である、すなわち、互いが平行な二辺の長辺に対して短辺が直角に接続しない平行四辺形や台形であってもよく、胴部１２８の形状の略矩形には、長方形だけでなく、このような平行四辺形や台形も含まれるものである。
【０１５９】
さらに水印加電極１０２は、図４９示すように胴部１２８の長辺方向（長手方向）側面の途中に、その側面から突出するように先端霧化部１２９が形成されている。先端霧化部１２９は胴部１２８に連続する同じ厚さの板状突起で、その形状は上面視で三角形状である。三角形状の先端霧化部１２９は、底辺の面が胴部１２８の長辺方向側面につながり、頂点である先端１２９ａ（突端）が、対向電極１０３に向いている。この先端１２９ａが対向電極１０３との放電部となる。なお、図４９乃至図５２においては、先端霧化部１２９である突起が１つの場合を示したが、突起が複数であってもよい。
【０１６０】
また、先端霧化部１２９である突起の形状は、図５３に示すように、胴部１２８につながる四角形状部分と、その四角形状部分に底辺の面がつながる三角形状部分とから成る、所謂、ホームベース形状であってもよく、その三角形状部分の頂点である先端１２９ａ（突端）を対向電極１０３に向けるようにしてもよい。
【０１６１】
水印加電極１０２の先端霧化部１２９は、上面視で図４９のような三角形状であっても、図５３のホームベース形状であっても、胴部１２８と同様に、板状で厚さを有し、胴部１２８と一体的に形成されており、対向電極１０３に向かう先端１２９ａにも厚みがあり先端１２９ａは線状に尖っている。先端１２９ａは線状に尖っているので、その上端と下端に２つの角部が形成されている。
【０１６２】
先端霧化部１２９は、平板状の胴部１２８の長辺方向（長手方向）となる冷却フィン１０８ｂの積層方向に伸びる側面途中に胴部１２８と連続的に形成され、胴部１２８の長辺方向側面から対向電極１０３に向かって突出する板状突起であって、その形状は先端１２９ａに向かうほど突起幅が細くなる形状で、先端１２９ａは線状に尖った状態、もしくは線状に尖った状態に近しいくらいまで細い状態となっている。
【０１６３】
対向電極１０３は、導電性のある金属もしくは樹脂にて板状に成形されたもので、略中央に開口を有している。この開口が水印加電極１０２の先端霧化部１２９と対向するように、対向電極１０３は、先端霧化部１２９の先端１２９ａと一定の距離を隔てて位置している。
【０１６４】
次に水印加電極１０２よりも上方に位置する水供給手段について説明する。図４９に示す静電霧化装置３００は、ペルチェユニット１０６と、そのペルチェユニット１０６の放熱面に接する放熱部１０７と、放熱面の反対側に位置する冷却面に接する冷却部１０８で構成される水供給手段を有する。そしてこの水供給手段で生成した水を水印加電極１０２の胴部１２８上面に重力により滴下させて供給する。
【０１６５】
放熱部１０７も冷却部１０８もそれぞれペルチェユニット１０６と接するベース板とそのベース板の反ペルチェユニット側の面に略垂直に立設する複数のフィンを有する。放熱部１０７と冷却部１０８の複数のフィンは、各々のフィンが通過する空気流と略平行となるように通過する空気流と略直交する方向に積層される。ここでは、空気流が概ね重力方向であるため、放熱部１０７と冷却部１０８のそれぞれのフィンは、重力方向とほぼ直交する方向となる略水平方向に積層される。なお、冷却部１０８を効率よく冷却するために、放熱部１０７の方が冷却部１０８よりもフィンの表面積が大きく構成されている。
【０１６６】
図５１は冷却部１０８の概略構成図であるが、冷却部１０８は、ペルチェユニット１０６と接するベース板１０８ａとそのベース板１０８ａの反ペルチェユニット側の面に略垂直に立設する複数の冷却フィン１０８ｂを有している。複数の冷却フィン１０８ｂは上記のとおり略水平方向に積層される。図５１に示すＬ２は、冷却フィン１０８ｂのその積層方向の幅であり、積層方向の一方の端に位置する冷却フィン１０８ｂの外側面から他方の端に位置する冷却フィン１０８ｂの外側面までの距離である。両端の冷却フィン１０８ｂを含み幅Ｌ２の範囲内に位置する複数の冷却フィン１０８ｂは、すべて空気中に露出されている。
【０１６７】
また、図５１に示すＬ４は、冷却フィン１０８ｂの突出高さであり、ベース板１０８ａ上の基端から突端までの距離、すなわちベース板１０８ａの反ペルチェユニット側の面から冷却フィン１０８ｂ突端までの距離である。ここにおいて、複数の冷却フィン１０８ｂの下端面は全面が、水印加電極１０２の胴部１２８上面と所定の距離Ｌ１を空けて対向するように露出している。
【０１６８】
もし、冷却部１０８を固定する保持枠などによって上記する冷却フィン１０８ｂの下端面の基端近傍が部分的に覆われるようであれば、距離Ｌ４は、その覆われた距離の分だけマイナスしたものとする。このような場合では、距離Ｌ４は、冷却フィン１０８ｂの下端面の突出方向の露出長さとなる。
【０１６９】
ペルチェユニット１０６内部には、複数のＰ型Ｎ型半導体接合が設けられており、低電圧電源部１０５から１〜５Ｖ程度の直流電圧がペルチェユニット１０６に印加されると、一方向に電流が流れ、ペルチェ効果によって放熱面の熱量が増え、冷却面では吸熱がなされる。これにより、放熱部１０７は暖められ、冷却部１０８は冷却される。
【０１７０】
ペルチェユニット１０６によって、冷却部１０８の温度が通過する空気の露点以下まで冷やされると、冷却部１０８の冷却フィン１０８ｂの表面にはその空気中の水分が結露した結露水１１０が生成される。生成された結露水１１０は、重力により冷却フィン１０８ｂの下端に向けて冷却フィン１０８ｂの表面を伝って落下し、下端まで伝った後で冷却フィン１０８ｂから重力により下方へ滴下される。通過する空気の流れは、重力方向とほぼ同じであるため、結露水１１０は、冷却フィン１０８ｂの上部側の表面に生成されやすく、下流に進むにしたがって空気中の水分がなくなっていくため、結露し難くなる。冷却フィン１０８ｂの下端面ではほとんど結露しない。
【０１７１】
放熱部１０７および冷却部１０８は、アルミニウムを材料として形成されている。アルミニウム製のフィンの一般的な水との接触角は５０〜７０度であるが、ここでは、少なくとも冷却フィン１０８ｂに、接触角が９０度以上になるように撥水化処理を施すか、もしくは接触角が３０度以下になるように親水処理を施して、生成された結露水１１０が冷却フィン１０８ｂの表面上を重力方向に移動しやすくし、生成された結露水１１０を素早く冷却フィン１０８ｂから滴下するようにしている。
【０１７２】
なお、水の接触角とは、固体表面上に水滴を乗せ、平衡になったときの水滴表面と固体表面のなす角度であり、水滴が冷却フィン１０８ｂ表面に接触している接触点において、水滴が形成する接線と冷却フィン１０８ｂ表面とがなす角度のことである。
【０１７３】
ここで冷却部１０８の重力方向下方には、この冷却フィン１０８ｂの下端とは図２に示すように所定長さＬ１の空間を介して水印加電極１０２が配置されている。冷却部１０８と水印加電極１０２は、互いが直接的に接触する部分を有していない。冷却フィン１０８ｂの下端から滴下された結露水１１０は、水印加電極１０２の胴部１２８上面に落下する。すなわち、水印加電極１０２の略矩形の胴部１２８が、冷却フィン１０８ｂの積層方向に長辺方向を伸ばし、かつ冷却フィン１０８ｂの真下（直下）に距離Ｌ１の空間を隔てて配置されているのである。
【０１７４】
胴部１２８の上面に重力落下した結露水１１０は、金属多孔質体の水印加電極１０２内部に吸水され、内部の互いが三次元的につながる空隙内を表面拡散により移動する。結露水１１０は、このような表面拡散現象により、水印加電極１０２の内部にて胴部１２８から先端霧化部１２９へと搬送される。
【０１７５】
水印加電極１０２の先端霧化部１２９の先端１２９ａ近傍まで水（結露水１１０）が搬送されると、グランド極である対向電極１０３に対して水印加電極１０２には、−４〜−６ｋＶのマイナス高電圧が印加されているので、先端１２９ａ近傍の水にその高電圧がかかり、水印加電極１０２と同電位、すなわちマイナスの高電圧に帯電している。そのため、帯電している水は、静電界中のクーロン力の作用によって、先端１２９ａから局所的に水印加電極１０２の外部へ引っ張られテーラーコーンと呼ばれる盛り上がりを形成する。このときテーラーコーンを形成している水は、水印加電極１０２に付いているので、引き続き帯電している。そして、作用するクーロン力が水の表面張力を超えることで、テーラーコーンを形成していた水が飛び出し、はじけるように分裂（この分裂はレイリー分裂と呼ばれている）を繰り返し、ナノメータサイズの帯電した静電ミスト１０１が生成される。静電ミスト１０１は対向電極１０３に向かって移動し、対向電極１０３の開口から外部へと放出される。
【０１７６】
ここで、帯電した水を先端霧化部１２９の先端１２９ａから飛び出せるためには、電界の集中が必要である。この水印加電極１０２は、先端霧化部１２９が板状で形成されていて、放電部である先端１２９ａが線状に尖っているので、少なくとも先端１２９ａの上端と下端の２ヶ所の角部に電界を集中させることができる。
【０１７７】
このため、先端近傍を錘状（角錐や円錐）に形成して放電部となる先端を針状に尖らしたものでは、その針状尖端の１ヶ所でしか水のテーラーコーンが形成されないのに対して、線状に尖る先端１２９ａでは、少なくとも上端と下端の角部２ヶ所で水のテーラーコーンを形成することができ、放電部を針状尖端とするものに比べて、静電ミスト１０１を効率よく多量に発生させることができる。なお、先端１２９ａは線状に尖っているので、上端や下端の角部ほどではないが電界は集中するので、上下の角部の間であっても、水のテーラーコーンが形成されることもあり、静電ミスト１０１が効率よく多量に生成される。
【０１７８】
電界を集中しやすくするために、先端霧化部１２９は、対向電極１０３に向かう上面視で三角形状の頂点部分の角度α（図５２に示す）を鋭角に形成するのがよく、望ましくは６０°以下がよい。上面視で三角形状の先端霧化部１２９の胴部１２８から最も離れた頂点部分の角度が角度αである。また、水印加電極１０２の製造工程や配送工程において、先端霧化部１２９が細長く突出していると、破損する恐れがあるので、破損を回避するために、先端霧化部１２９の突出高さＬ６（図５２に示す）は、胴部１２８の短辺方向幅と同等以下とするのが好ましく、頂点部分の角度αも１５°以上がよい。
【０１７９】
このように生成された静電ミスト１０１は、単にミストや微粒子水と呼ばれたり、帯電していることから、帯電ミストや帯電微粒子水と呼ばれたりすることがある。また、大きさがナノメータサイズであることから、ナノミストと呼ばれることもある。いずれであっても、水に高電圧をかけ、レイリー分裂により微細化させ生成する帯電したナノメータサイズのミスト（微粒子水）であり、ここでは、このようにして生成されたミストのことを静電ミスト１０１と呼ぶこととする。また、このように静電ミスト１０１を生成することを静電霧化と呼び、霧化するとは水をミスト化することである。そして、霧化量とは、静電ミスト１０１の生成量（発生量）のことである。
【０１８０】
図５２は水印加電極１０２の概略構成図であるが、この図で示すＬ３は、上方に位置する冷却フィン１０８ｂと対向して露出される胴部１２８上面の長辺方向（長手方向）の幅で、冷却フィン１０８ｂの積層方向と同方向の幅である。
【０１８１】
例えば、胴部１２８の長辺方向の一端に高電圧電源部１０４との接続端子が装着され、その接続端子により、もしくはその接続端子を保護するために設置された別体のカバーにより、胴部１２８のその一端部分の上面が、冷却フィン１０８ｂに向かって露出されていない場合には、その一端部分は上記の幅Ｌ３には含まれない。幅Ｌ３は単に胴部１２８の長辺方向の長さではなく、上方に位置する冷却フィン１０８ｂと対向して露出される胴部１２８上面の長辺方向の幅であり、上方に露出をしていない部分は、幅Ｌ３には含めない。
【０１８２】
また図５２に示すＬ５は、Ｌ３と直交する方向の幅であり、冷却フィン１０８ｂと対向して露出されている胴部１２８上面の短辺方向の幅で、冷却フィン１０８ｂの突出方向と同方向の幅である。
【０１８３】
ここで、この水印加電極１０２は、胴部１２８の幅Ｌ３が、上記した冷却フィン１０８ｂの積層方向幅Ｌ２と同等もしくは幅Ｌ２よりも大きくなるように形成されている。すなわち、幅Ｌ３≧幅Ｌ２となっている。また、胴部１２８の幅Ｌ５が、上記した冷却フィン１０８ｂの突出高さＬ４と同等もしくはＬ４よりも大きくなるように形成されている。すなわち、幅Ｌ５≧Ｌ４としている。
【０１８４】
さらに、水印加電極１０２の胴部１２８に冷却フィン１０８ｂ全体を重力方向に投影したときに、積層方向幅Ｌ２が胴部１２８の長辺方向幅Ｌ３と略一致するか、もしくは幅Ｌ３内に収まるように、また、高さＬ４が胴部１２８の短辺方向幅Ｌ５と略一致するか、もしくは幅Ｌ５内に収まるように、水印加電極１０２の胴部１２８は、冷却フィン１０８ｂに対して配置されている。
【０１８５】
上方に位置する複数の冷却フィン１０８ｂと、その下方に隙間Ｌ１を介して冷却部１０８とは非接触に位置する水印加電極１０２の胴部１２８とは、このような位置関係にあるので、重力により複数の冷却フィン１０８ｂの下端から積層方向に幅広く滴下される結露水１１０を、胴部１２８の上面が水受け取り面となって、無駄なく確実に受け取ることができ、それらを先端霧化部１２９に搬送できるので、安定して多くの量の静電ミスト１０１を発生させることができる。
【０１８６】
特に、冷却部１０８にて多くの結露水１１０を得るために、空気流と略直交する水平方向に冷却フィン１０８ｂを積層させ、水印加電極１０２の胴部１２８を平板状として、その積層方向に長辺方向の幅を伸ばすように形成していることにより、冷却フィン１０８ｂで効率よく結露した結露水１１０を胴部１２８の上面で無駄なく確実に受け取るので、静電ミスト１０１の発生が安定して継続される。
【０１８７】
また、先端霧化部１２９を胴部１２８の長辺方向側面の途中に形成しているので、短辺方向側面に設けるのに比べて、胴部１２８で受け取った結露水１１０を素早く先端霧化部１２９に搬送できる。このため、結露水１１０が水印加電極１０２へ至るまでの経路が、重力による胴部１２８への直接的な滴下であることと相まって、この静電霧化装置３００の運転開始から短時間で静電ミスト１０１を発生させることができる。各冷却フィン１０８ｂから同量の結露水１１０が滴下されるものとして、先端霧化部１２９が１つだけの場合には、胴部１２８の長辺方向側面にあって、冷却フィン１０８ｂの積層方向幅Ｌ２の中央に相当する位置に配置させるのが、水の搬送の安定度から最も好ましい。
【０１８８】
なお、水印加電極１０２は、その周囲に冷却フィン１０８ｂから滴下供給された結露水１１０を溜めないように構成されている。水印加電極１０２を固定する保持枠は水が溜まることがないように容器とはしないで、例えば、水印加電極１０２の下面（冷却部１０８と対向する上面の反対側の面）を含む周囲には下方への開口を設け、水印加電極１０２の保持枠からは不要な水は開口を通して排水させ、水印加電極１０２の周囲に水を溜めさせない。
【０１８９】
水印加電極１０２の周りに水を溜めない理由は、以下のとおりである。
（１）水印加電極１０２の上に水が溜まってくると、上に溜まった水の介在により水印加電極１０２（特に胴部１２８）と冷却部１０８（特に冷却フィン１０８ｂ）との距離が短くなり、高電位である水印加電極１０２から冷却部１０８へ放電現象が発生する恐れがある。水印加電極１０２と冷却部１０８との間で放電現象が発生すると、水印加電極１０２と対向電極１０３との間での放電が不安定となり、正確な静電ミスト１０１の発生が阻害される。また、信頼性の点からも好ましくない。
【０１９０】
（２）水印加電極１０２は多孔質体で構成されるが、水印加電極１０２内の水分量が多いと、テーラーコーンを形成した水の表面張力に対してクーロン力が勝てずに、水が先端霧化部１２９の先端１２９ａから離れにくくなり、すなわち、先端１２９ａからなかなか飛び出さないことになって、静電ミスト１０１の発生が阻害される。水印加電極１０２は、内部の空隙（気孔）を水で飽和させない方が静電ミスト１０１の発生効率がよい。
【０１９１】
（３）ペルチェユニット１０６が水に浸かると、信頼性の点で不具合が生じる。ペルチェユニット１０６は、Ｐ型Ｎ型半導体が直列接続された構成であり、Ｐ型Ｎ型半導体のいずれかが水の侵入により故障すると使用不能となる。
【０１９２】
これらの理由から、水印加電極１０２の周囲には、水を溜めない構成が必要なのである。
【０１９３】
なお、対向電極１０３は、水印加電極１０２との電位差を一定に保つために設置しているが、対向電極１０３を設置しないで気中との放電（気中の浮遊電位との放電）で静電ミスト１０１を発生させるようにしてもよい。また、この静電霧化装置３００を搭載する機器のあらかじめ電位が０Ｖ近辺にある部材（例えば、空気調和機の室内機に搭載するとして、室内機内部に設置される室内熱交換器）を対向電極１０３の代替として用いて、水印加電極１０２との電位差を保つようにして静電ミスト１０１を生成するようにしてもよい。
【０１９４】
この静電霧化装置３００では、放熱部１０７および冷却部１０８に重力方向、すなわち上方から下方への空気流が通過するが、冷却部１０８における吸熱量低下を防止して効率よく冷却フィン１０８ｂの温度を下げるために、冷却部１０８への通風量（通過する空気流の量）は、放熱部１０７に比べて少なくしている。その実現手段としては、放熱部１０７はその上流側を開放状態にして放熱部１０７を通過する空気流に通風抵抗を与えないが、冷却部１０８側では、上流側に囲いやリブなどを設けて流入口の開口を制限して通風量を下げる。このように通風量を下げて冷却部１０８を通過する空気流の流速を０．１ｍ／ｓ程度の微風状態まで小さくし、空気流が冷却熱を奪って流出してしまうことを避けている。この結果、冷却フィン１０８ｂを効率よく冷却できる。
【０１９５】
そして流速はたいへん小さいが、冷却部１０８には空気流が存在するので、水分を含んだ新しい空気が入れ替わるように流入することになり、冷却部１０８周囲の空気が乾燥してしまうことがなく、効率よく冷却された冷却フィン１０８ｂの表面には、結露水１１０が安定して生成される。
【０１９６】
水印加電極１０２は金属多孔質体から成るものなので、胴部１２８の上面のどこに結露水１１０が滴下されても、受け取った水を先端霧化部１２９に搬送する性質を持っている。
【０１９７】
すなわち、水印加電極１０２自身が、水受け取り部であり、水搬送手段であり、かつ霧化部（静電ミスト１０１の発生部）である、というように、３つの機能を備えているのである。このため、素早く水を先端霧化部１２９に集めて、効率よく正確に安定して静電霧化させることができる、という効果を有するのである。
【０１９８】
この静電霧化装置３００では、図５０に示すように、水印加電極１０２の胴部１２８が、ペルチェユニット１０６の冷却面に接する冷却部１０８の重力方向下方に、冷却部１０８とは直接に接することのない離れた位置で、所定の距離Ｌ１の隙間を空けて設置される。
【０１９９】
ここで所定の隙間Ｌ１は、水印加電極１０２と冷却部１０８とが電気的につながらない距離が必要となる。高電位にある胴部１２８から冷却部１０８への放電を起こさないために、胴部１２８の冷却フィン１０８ｂに対向して露出される上面には、先端霧化部１２９のような電界を集中させてしまう突起を設けずに平坦状に形成する。そして、胴部１２８と冷却部１０８間の空間の絶縁破壊を回避するために、距離Ｌ１は最低でも３ｍｍ必要となる。
【０２００】
さらに、結露水１１０を冷却フィン１０８ｂから胴部１２８へと滴下するようにしているため、冷却フィン１０８ｂの下端から落下する直前の水滴の長さが、冷却フィン１０８ｂと胴部１２８との絶縁距離を実質的に短くしてしまうことなるので、その分も考慮すると、距離Ｌ１は、少なくとも５ｍｍは必要であり、冷却フィン１０８ｂの下端から５ｍｍ以上の隙間Ｌ１を空けて胴部１２８を設置するのがよい。
【０２０１】
これに加えて、水印加電極１０２や冷却部１０８をそれぞれ保持する周囲の部材への沿面放電なども考慮放電に対する信頼性を満足する隙間Ｌ１を適宜設定すればよい。
【０２０２】
この静電霧化装置３００では、冷却フィン１０８ｂと、冷却フィン１０８ｂに面して露出している胴部１２８の上面との間には、空間以外に、冷却フィン１０８ｂから滴下する水を集める集水部材や滴下する水を胴部１２８に案内するガイド部材、また、滴下する水を胴部１２８に至る前に一時的に溜めておく保水部材などを介在させず、直接的に重力により結露水１１０を胴部１２８上面に滴下する。冷却フィン１０８ｂから胴部１２８への水の移動を妨げる要素は何もない。これにより、冷却部１０８にて生成された結露水１１０を、短時間で素早く確実に水印加電極１０２へと供給することができる。
【０２０３】
そして、水印加電極１０２と冷却部１０８とが非接触であることにより、ペルチェユニット１０６に高電圧がかかって、ペルチェユニット１０６が壊れてしまう心配がない。このように、高電圧が印加される部位が水印加電極１０２に限定される。
【０２０４】
また、水印加電極１０２の材料として金属多孔質体（詳細は後述する）を用いることで、胴部１２８の一部に水が供給されれば、内部の空隙を表面拡散により進み、先端霧化部１２９まで素早く搬送することができ、運転開始から静電ミスト１０１の発生までの時間を短くできる。
【０２０５】
次に、実施の形態１のいくつかの変形例について説明する。図５４は、変形例１の静電霧化装置４００を示す。図４９の静電霧化装置３００においては、水印加電極１０２の先端霧化部１２９が、胴部１２８の長辺方向側面上に冷却フィン１０８ｂの突出方向と同方向に突出していたが、この静電霧化装置４００では、その面とは反対側の長辺方向側面上に、冷却フィン１０８ｂの突出方向とは反対方向、すなわち放熱部１０７のフィン突出方向に突出するように設けている。対向電極１０３もその時の先端霧化部１２９に対向するように放熱部１０７側に設けられる。このような配置にすると、冷却部１０８に比べて流量が大きい放熱部１０７を通過する空気流にのせて対向電極１０３の開口から放出された静電ミスト１０１を広く拡散させることができる効果が追加される。
【０２０６】
ただし、変形例１のような場合では、通過する流量の大なる空気流によって、水のテーラーコーン形成やレイリー分裂が阻害され、正確で安定した静電ミスト１０１の発生が損なわれる懸念があるため、先端霧化部１２９と対向電極１０３、およびその両者間の空間の上流側（ただし放熱部１０７よりは下流側）には、図５４に示すように庇１３０を設置して空気流を遮り、静電ミスト１０１の生成部分に空気流が通過することを抑制した方がよい。
【０２０７】
次に図５５と図５６により、変形例２の静電霧化装置５００について説明する。変形例２の静電霧化装置５００は、先端霧化部１２９の胴部１２８に対する位置が、図４９に示した静電霧化装置３００のように先端霧化部１２９の突起位置が胴部１２８の長辺方向側面上ではなく、胴部１２８の端部（短辺方向側面上）に設けられる。
【０２０８】
この場合も静電霧化装置３００と同様に、胴部１２８を結露水１１０が滴下される複数の冷却フィン１０８ｂの積層方向に一致する方向に長辺方向を伸ばして設置する。図５６はこの静電霧化装置５００に用いられる水印加電極１０２の上面図であり、この図に示す寸法Ｌ３とＬ５は、静電霧化装置３００における水印加電極１０２のＬ３とＬ５（図５２参照）と同じ寸法を表しており、冷却フィン１０８ｂの寸法Ｌ２、Ｌ４（図５１参照）との位置関係も静電霧化装置３００と同様である。これにより、複数の冷却フィン１０８ｂから滴下する結露水１１０を直接胴部１２８上面で無駄なく確実に受け取ることができる。
【０２０９】
先端霧化部１２９である突起は冷却フィン１０８ｂの積層方向に突出するため、突出した先端霧化部１２９の前方に対向電極１０３を設ける。変形例２の静電霧化装置５００も、水印加電極１０２自身が、水受け取り部であり、水搬送手段であり、かつ霧化部（静電ミスト１０１発生部）である、というように、３つの機能を備えており、効率的に水を先端霧化部１２９に集めて、効率よく安定して静電霧化させることができるとともに、長辺方向の途中に突起が存在しないため、水印加電極１０２の配送作業が容易となって配送作業の信頼性が増す効果が得られる。
【０２１０】
図５７は変形例３の静電霧化装置６００の側面図である。図４９の静電霧化装置３００との差異は、水印加電極１０２（先端霧化部１２９および胴部１２８）の設置角度である。静電霧化装置３００では、水印加電極１０２は、水平に設置され、冷却部１０８も、冷却フィン１０８ｂの積層方向および突出高さ方向ともに水平となっており、冷却フィン１０８ｂの下端面と水印加電極１０２の上面は、冷却フィン１０８ｂの積層方向にも突出高さ方向にも平行であった。
【０２１１】
しかし、図５７に示す変形例３の静電霧化装置６００では、冷却部１０８は静電霧化装置３００と同じく水平のままであるが、水印加電極１０２を、胴部１２８から先端霧化部１２９（胴部１２８の長辺方向側面に突設）に向かって重力方向に角度θ１（図５７参照）だけ傾斜させて設置している。角度θ１の大きさは、５〜３０°程度である。
【０２１２】
このように水印加電極１０２を設置した静電霧化装置６００では、胴部１２８から先端霧化部１２９への水の搬送に、内部空隙の表面拡散による移動だけでなく、重力を利用できることになり、例えば、冷却部１０８で生成される結露水１１０が少ない場合でも、胴部１２８で受け取った結露水１１０を素早く先端霧化部１２９へ搬送できる効果を有する。
【０２１３】
次に、図５８は変形例４の静電霧化装置７００の側面図である。図５７の静電霧化装置６００とは、水印加電極１０２（先端霧化部１２９および胴部１２８）の傾斜方向が逆となっている点が異なる。図５８に示す変形例４の静電霧化装置７００では、冷却部１０８は静電霧化装置３００同様に水平のままであるが、水印加電極１０２を、胴部１２８から先端霧化部１２９（胴部１２８の長辺方向側面に突設）に向かって反重力方向に角度θ２（図５８参照）だけ傾斜させて設置している。角度θ２の大きさは、５〜３０°程度である。
【０２１４】
このように水印加電極１０２を設置した静電霧化装置７００では、例えば冷却部１０８に供給される空気の湿度が高く、結露水１１０が過剰に胴部１２８へ滴下される場合に、余剰水分を先端霧化部１２９の突出方向と反対方向へと排水させることができる。この静電霧化装置７００では、余剰水分を先端霧化部１２９とは反対側から排水することにより、余剰水分が先端霧化部１２９の先端１２９ａへ流れ込まないので、余剰水分により静電ミスト１０１の発生が阻害されることがなく、正確に安定して静電ミスト１０１を発生させることができる。
【０２１５】
なお、胴部１２８から先端霧化部１２９に向かって反重力方向に傾斜させて設置しても、水印加電極１０２は金属多孔質体から成るので、内部が水で飽和していなければ、内部の空隙（気孔）を表面拡散により、重力に逆らって水を先端霧化部１２９に搬送することができる。
【０２１６】
次に、図５９は変形例５の静電霧化装置８００の側面図である。図４９の静電霧化装置３００との差異は、冷却部１０８の設置角度である。図５９に示す変形例５の静電霧化装置８００では、冷却部１０８を、ペルチェユニット１０６側であるベース板１０８ａ（冷却フィン１０８ｂの基端）から冷却フィン１０８ｂの突端に向かって重力方向に角度θ３（図５９参照）だけ傾斜させて設置している。角度θ３の大きさは、１０〜３０°程度である。
【０２１７】
このように冷却部１０８を設置した静電霧化装置８００では、冷却フィン１０８ｂの表面に結露した水は、重力により冷却フィン１０８ｂの突端側へと導かれながら、下端へと伝っていくことになる。このため、冷却フィン１０８ｂの下端から滴下される水の滴下位置を、冷却フィン１０８ｂの突端側の狭い範囲に限定することができる。
【０２１８】
図４９の静電霧化装置３００では、冷却フィン１０８ｂの突出高さＬ４の範囲がすべて滴下位置であったが、この静電霧化装置８００においては、結露水１１０の滴下位置の範囲をＬ４よりも狭くすることができる。このため、水印加電極１０２の胴部１２８の短辺方向幅をＬ４よりも小さくすることが可能となる。すなわち、静電霧化装置３００に比べて胴部１２８の短辺方向幅を小さくすることができる。冷却フィン１０８ｂと対向して露出されている胴部１２８上面の短辺方向の幅Ｌ５（図５２参照）を、この静電霧化装置８００は、静電霧化装置３００よりも小さくできるのである。
【０２１９】
これにより、先端霧化部１２９への胴部１２８短辺方向の搬送距離が短くなるので、この静電霧化装置８００は、胴部１２８で受け取った結露水１１０の先端霧化部１２９への搬送を、図４９の静電霧化装置３００よりもさらに素早く行うことができるようになり、運転開始から静電ミスト１０１が発生するまでの時間をより短縮することができる、という効果が得られる。
【０２２０】
また、水印加電極１０２の体積を減少させることができ、省資源化、低コスト化も図ることができる。なお、図５９に示す静電霧化装置８００の水印加電極１０２の設置角度は、図４９の静電霧化装置３００と同じく水平のままであるが、図５７の変形例３や図５８の変形例４のように傾斜させてもよく、そのように傾斜させれば、変形例３や変形例４の効果を合わせて奏することができる。
【０２２１】
なお、先に述べたが、水印加電極１０２内の水分量が多いと、テーラーコーンを形成した水の表面張力に対してクーロン力が勝てずに、水が先端霧化部１２９の先端１２９ａから離れにくくなり、すなわち、先端１２９ａからなかなか飛び出さないことになって、静電ミスト１０１の発生が阻害されることがあるので、水印加電極１０２は、内部の空隙（気孔）を水で飽和させない方が静電ミスト１０１の発生効率がよい。そのため、ペルチェユニット１０６への通電を制御して、水印加電極１０２が水で飽和しないように、結露水１１０の生成量をコントロールするのがよい。
【０２２２】
これまでは、複数の変形例を含め、静電霧化装置の構造、特に水印加電極１０２の形状や設置構成について説明してきたが、ここからは、水印加電極１０２の構造について詳細に説明する。ここまで説明してきたこの実施の形態における静電霧化装置３００〜７００のすべてにおいて、水印加電極１０２はその材料として金属多孔質体である発泡金属を用いて形成されている。
【０２２３】
従来の静電霧化装置では、水の搬送と放電を兼ねる多孔質体材料として、チタニア、ムライト、シリカ、アルミナなどのセラミックが使用されていた（例えば特許文献１）。セラミックは毛細管現象で水の搬送ができ、また加工性がよい、高電圧からの耐摩耗性にも優れるなどの利点を有している。
【０２２４】
しかしながら、セラミックは、内部の気孔率（気孔の含有割合）が１０〜５０％程度、気孔の孔径（呼び孔径）が０．１〜１．０μｍ、大きくても３．０μｍと、多孔質体ではあるが、内部は比較的目が詰まった材料であり、先端の放電部まで霧化する水を毛細管現象で搬送するのに時間がかかり、運転開始からミスト発生までに時間がかかる、また、不純物により気孔が目詰まりしたり、水がブリッジしたりして、長期間に渡って、吸水性や搬送性能を高く維持できない、という欠点があった。さらに、セラミックは体積抵抗率（電気抵抗率）が高いため、霧化させる水に、セラミックに印加した高電圧が十分に作用せず、霧化が起こりにくく、充分な量のミストが得られないという課題もあった。
【０２２５】
また、放電側の電極として、多孔質材料でなく金属棒を使用する場合では、金属棒は内部に気孔が存在しないため、放電部となる先端まで水を搬送することができない。そのため、金属棒そのものを冷却して先端表面に直接結露水を生成させる場合もあるが、金属棒の先端表面で結露する水だけでは、水分量が少なく、充分な量のミストが得られないという課題があった。
【０２２６】
そこで、本実施の形態では、充分な吸水性能、搬送性能を持ちながら、低い電気抵抗率（体積低効率）、高い電気伝導性を有して、霧化する水に効率よく電気を伝えて帯電させることができる材料として、金属多孔質体である発泡金属を、水印加電極１０２の材料として用いるに至った。
【０２２７】
ここで発泡金属とは、三次元網目状構造を持つ金属多孔質体と定義する。三次元網目状構造は、スポンジに代表される樹脂発泡体として知られており、これと同じ構造である。金属多孔質体としては、焼結金属がよく知られているが、発泡金属が焼結金属と相違する点は、三次元網目構造により、気孔率が高いこととその気孔の孔径が大きいことである。
【０２２８】
発泡金属は、スラリーと呼ばれる金属を含有する液体の混合物中に、発泡剤を投入してこれを発泡させた状態で、非常に高い温度で焼結して作られる。これにより、各種金属や合金を素材とした発泡体を作ることができる。このように製作した発泡金属は、連続気孔構造を有する。これまでは、主にフィルター、触媒担持体、燃料電池用ガス拡散層などに使用されていたが、今回、静電霧化装置の電極材料として優れた特性を有することを見出した。
【０２２９】
発泡金属の最も顕著な特徴は、高い気孔率にある。気孔率とは、空隙率ともいい、気孔の含有割合を示すもので、発泡金属内部にどれだけ吸水できるかを調べることで評価できる。この評価方法は、液体中の物体が排除した液体の重さに等しい浮力を受けるというアルキメデスの原理に従っている。
【０２３０】
本実施の形態の水印加電極１０２に使用する発泡金属では、三次元網目状構造により、その気孔率を６０〜９８％と非常に高く設定することが可能である。したがって、発泡金属内部に、すなわち水印加電極１０２がたくさん吸水することができる。しかし、あまり気孔率が大きすぎると、吸水力を大きくできても、吸水した水が漏れ出す恐れがあるので、水印加電極１０２としては、気孔率を６０〜９０％に設定するのがよい。
【０２３１】
一方、多孔質体として従来から用いられてきたチタニアやムライトなどのセラミックでは、気孔率は１０〜５０％程度、多くは３５％前後であることが多い。また、発泡金属ではない一般的な焼結金属の場合も気孔率は高いものでも５０％程度であり、発泡金属の気孔率は明らかに高いものである。
【０２３２】
また、発泡金属の他の大きな特徴として、気孔径が大きいことが挙げられる。発泡金属の説明のための拡大概念図である図６０は、平面（二次元）状で示しているため、各々の気孔が独立しているように見えるが、実際の発泡金属は、三次元的に気孔が連続している連続気孔構造体である。図６０に示すように、本実施の形態の静電霧化装置３００〜８００にて水印加電極１０２として用いられる発泡金属は、焼き固まった金属部１２２と空隙部となる気孔１２１で構成される。ここで、気孔１２１の直径を孔径と定義する。孔径は、電子顕微鏡で撮影される画像により、その大きさを判断することができる。また、水銀圧入式ポロシメータやガス吸着測定装置を使って、孔径だけでなく、気孔の分布状態を測定することも可能である。
【０２３３】
水印加電極１０２の発泡金属の孔径は１０〜１０００μｍが妥当であるが、孔径が５０〜６００μｍの発泡金属が、吸水性や目詰まり防止の観点から好適であり、さらに剛性や生産性（加工性）を考慮すると１５０〜３００μｍが最適である。
【０２３４】
セラミックのように孔径が１０μｍ未満であると、孔径が細かくなり過ぎて（小さ過ぎて）目詰まりする危険性が高いし、吸水量も小さい。また、気孔１２１の大きさを安定して小さく揃えることは発泡金属の製造上、困難なものである。逆に、孔径が１０００μｍを超えると、連続する気孔１２１を通して吸水した水が漏れ出しやすくなり、水を胴部１２８から先端霧化部１２９へと搬送しがたくなる。
【０２３５】
ここで、水印加電極１０２に使用している発泡金属と、従来から放電側の電極に使用されていたセラミック多孔質体との吸水量の比較を行う。図６１にその結果を図示する。オーステナイト系ステンレスのＳＵＳ３１６を素材とした発泡金属である実施例１では、吸水量が約０．５ｇ／ｃｍ３であり、チタンを素材とした発泡金属である実施例２では、約０．４ｇ／ｃｍ３である。一方、セラミック材では、比較例１のムライト、比較例２のチタニアともに、約０．２ｇ／ｃｍ３であり、発泡金属が、セラミックの２倍の吸水性能を有していることがわかる。
【０２３６】
高い気孔率と大きい孔径を内部に持つ発泡金属は、図６１に示すようにセラミックに比べて高い吸水性能を有する。吸水性能が高い（言い方を変えれば吸水量が多い）ということは、内部を水が移動できる量および移動速度も大きいことを意味する、すなわち搬送性能も高いことになる。そのため、発泡金属から成る水印加電極１０２は、セラミックで形成する場合よりも先端霧化部１２９に素早く水を移動でき、かつ吸水量が多いことで、静電霧化装置３００〜８００の運転開始から静電霧化が始まるまでの時間が短くできるとともに、胴部１２８から先端霧化部１２９への水の搬送が一時的に途絶えて、静電霧化が途切れてしまうような事態を防止して、正確に安定して静電ミスト１０１を発生させることができる。
【０２３７】
また、発泡金属は内部の三次元的に連続した気孔１２１を主として表面拡散により水が移動するので、水印加電極１０２の設置方向は、重力方向とは無関係に先端霧化部１２９を天井方向に向けたり、水平に向けたりして使用できる。そして、連続気孔構造であり、その気孔１２１の孔径が大きいので、長期に渡って目詰まりすることなく、安定して水を先端霧化部１２９へと搬送できる。
【０２３８】
続いて、図６２に発泡金属と他の多孔質体との電気抵抗率を比較した結果を、図６３に発泡金属から成るこの実施の形態の水印加電極１０２と、この水印加電極１０２と同一形状でセラミックにて形成した水印加電極との静電霧化量を比較した結果を示す。ここで、静電霧化量とは、ミスト発生量であり、上記の水印加電極を用いて静電霧化装置が単位時間当たりに生成した（水印加電極から飛び出した）静電ミスト１０１の重量を示すもので、規定容積箱内部の湿度上昇度から試算することができる。なお、図６３において、高電圧電源部１０４の供給電圧は同一としている。
【０２３９】
静電霧化装置３００〜８００では、水印加電極１０２の先端霧化部１２９の水に高電圧が作用し、高電圧の印加により作られるクーロン力が、水の表面張力を上回ることで、先端１２９ａから帯電している水が飛び出し、次々と破砕（レイリー分裂）して静電ミスト１０１として対向電極１０３の開口から気中に放出される。従って、水印加電極１０２に存在する水に効率よく電気をかけることが重要である。すなわち、高電圧電源部１０４から供給された高電位を、ロスをいかに少なくして水印加電極１０２に存在する水（冷却フィン１０８ｂから滴下された結露水１１０）に伝えて水を帯電させられるかが重要であり、そのためには、水印加電極１０２自身が有する電気抵抗が小さいほどその抵抗で消費されるロスを小さくでき、電気伝導性が高まって効率よく水を帯電できる。そして、水印加電極１０２の電気抵抗は、その材料によって特定されることが多い。
【０２４０】
発泡金属の電気抵抗率は、発泡体であるとは言えあくまで金属であって導体であるので、素材がステンレス鋼であるＳＵＳ３１６の実施例１でも、チタンの実施例２であっても、１×１０−７Ω・ｍ程度と電気抵抗が非常に小さく、電気を良く通す、すなわち電流によるロスを小さくして効率よく水に電気を流して帯電させることができる。一方で、セラミック材の電気抵抗率は、比較例１に示すムライトで１×１０１４Ω・ｍ、比較例２に示すチタニアで１×１０１２Ω・ｍと電気抵抗は大きく、セラミック材は、導体とは言えず、半導体から絶縁体の間である。比較例３の樹脂発泡体であるスポンジと同程度の高い電気抵抗率を示す。
【０２４１】
このように、発泡金属を材料として水印加電極１０２を形成することで、セラミックを材料とするものよりも効率よく水を帯電させることができる。すなわち、高電圧電源部１０４が供給する高電圧が同じ大きさであれば、発泡金属を材料として形成されているこの実施の形態における水印加電極１０２を用いた方が、セラミックを材料とする場合よりも、水に電流が伝わりやすく、効率よく水を帯電することができる。発泡金属を材料として水印加電極１０２を形成することで、電気抵抗が小さくなるので、静電霧化で消費される電力を、セラミックを材料とするものよりも小さくすることができ、省エネルギー化に貢献できる。
【０２４２】
また図６３により、水印加電極を同一形状にして、高電圧電源部１０４の供給電圧を同一とした場合の静電霧化量を比較すると、発泡金属を材料として形成した水印加電極１０２の静電霧化量は、発泡金属の素材がＳＵＳ３１６の実施例１、チタンの実施例２ともに、水印加電極１０２の１本あたり約０．１５ｃｃ／ｈｒであった。一方、セラミック材では、それが比較例１に示すムライトで０．０６ｃｃ／ｈｒで、比較例２に示すチタニアで０．０８ｃｃ／ｈｒであり、発泡金属の実施例よりも少なかった。
【０２４３】
同じセラミックであっても、チタニアの方がムライトよりも静電霧化量が多いが、図６２から、チタニアの電気抵抗率が、ムライトよりも２桁低いことがわかる。図６２、図６３において、セラミック同士、すなわち比較例１と比較例２を比べることでもわかるが、水印加電極が電気を通しやすい（電気抵抗率が小さい）方が水に効率よく電気をかけられ帯電でき、先端霧化部１２９の先端１２９ａに形成された水のテーラーコーンがクーロン力によって飛び出しやすくなって、静電霧化量が増加するといえる。これらの結果から、導体であり電気抵抗率が低い発泡金属を静電霧化装置３００〜５００の水印加電極１０２に用いた場合、従来のセラミック材に比べて、霧化する水に高電圧を効率よく印加でき（帯電させることができ）、高電圧電源部１０４の供給電圧が同じ大きさであれば、静電霧化量（静電ミスト１０１の発生量）を増やすことができる。
【０２４４】
なお、発泡金属の水印加電極１０２は、厚みが０．５ｍｍ〜５．０ｍｍ程度の大きなシート状発泡金属体を作成し、それから所望の形状（連続する胴部１２８と先端霧化部１２９）に切り出して製作する。シート状発泡金属体を板厚方向に複数枚積み重ねて、複数枚を同時に切り出すことで大量生産が可能である。切り出しは、ワイヤーカット、レーザーカットにより行われる。その他トムソン刃やプレスによる打ち抜き、機械切削による削り出し、手切断、曲げ加工など各種の加工方法を用いて、所望の形状に加工することができる。この水印加電極１０２では利用することはないが、発泡金属は、溶接やロウ付による接合も可能である。
【０２４５】
次に、図６４に発泡金属の素材（材質）の違いによるオゾン発生量の比較結果を示す。静電ミスト１０１が生成される際には、対向電極１０３に向かって放電が起こるため、この放電に伴って副生成物としてオゾンが生成される。オゾンは、適量であればその殺菌作用を利用することにより有益であるが、生成量が過多となると、その青臭い臭気から人間にとっては異臭と感じられたり、酸化作用や腐食作用を人間や周囲の物質に及ぼしたりすることもある。従って、静電ミスト１０１を放出するための静電霧化装置３００〜８００においては、放電に伴う副生成物であるオゾンの発生量をできるだけ抑えたい。
【０２４６】
そこで発泡金属により形成された水印加電極１０２におけるオゾンの発生量を実験により調査した。実験内容は、水印加電極１０２に所定の同じ大きさの高電圧を付与した場合に、４２Ｌ（リットル）箱（４２Ｌ槽）内部のオゾン濃度の定常値を調査するものである。
【０２４７】
図６４において、比較例４に示す発泡金属は、オーステナイト系ステンレスとして一般的によく知られているＳＵＳ３０４（ニッケル含有量８〜１０．５％、クロム含有量１８〜２０％）であるが、この場合のオゾン発生量として、４２Ｌ槽内部のオゾン濃度が１．２ｐｐｍとなった。一方、同じオーストナイト系ステンレスであるが、ニッケル含有量が１０〜１５％、クロム含有量が１５〜２０％で、かつモリブデンが１〜４％含有されたＳＵＳ３１６を用いた実施例１の場合では、４２Ｌ槽のオゾン濃度は、モリブデンが含有されていない比較例１のＳＵＳ３０４に比べ約６０％の０．７ｐｐｍとなった。
【０２４８】
同じオーステナイト系ステンレスであっても、モリブデンが含有されているか否かにより、オゾン発生量が異なり、モリブデンを含有している方が、オゾン発生量が少ないことがわかった。そのため、ステンレスを素材とする発泡金属により水印加電極１０２を形成する場合では、モリブデンが１〜４％含有されたオーステナイト系ステンレスを素材とするのがよい。実施例１のＳＵＳ３１６以外でも、ＳＵＳ３１６Ｌ、ＳＵＳ３１７がモリブデンを含有しており、オゾン発生量をＳＵＳ３０４に比べて少なくできる。
【０２４９】
図６４において実施例２で示すチタンが素材の発泡金属で形成されたものが、オゾン発生量が最も少なく、４２Ｌ槽のオゾン濃度が０．０３ｐｐｍで、比較例４（ＳＵＳ３０４）の１／４０、実施例１（ＳＵＳ３１６）の１／２３と、大幅にオゾン発生量を抑制できることがわかった。また、実施例３で示すニッケルを素材とした発泡金属を用いた場合では４２Ｌ槽内部のオゾン濃度は０．３ｐｐｍとなり、実施例２（チタン）ほどのオゾン発生の抑制効果は得られないが、実施例１（ＳＵＳ３１６）よりもオゾン発生の抑制効果が大きい。
【０２５０】
このようなオゾン発生抑制効果は、発泡金属の素材が還元作用を及ぼすことで、生成されたオゾンが分解されるためと考えられる。すなわち、水印加電極１０２の材料として、還元作用のある金属を素材とすることで、オゾン発生量を抑制できる。そして、図６４の実施例においては、チタンがオゾンの還元作用が最も強く働くものと考察される。オーステナイト系ステンレスにおいては、モリブデンがオゾンを還元する作用を及ぼすと考えられる。また、水印加電極１０２の材料として発泡金属を使用することにより、水を効率よく帯電させられるので、オゾンそのものの生成が少ないということも考えられる。
【０２５１】
また、静電ミスト１０１の生成に伴う放電によって、ヒドロキシルラジカルやスーパーオキサイドといったラジカル（活性種）が生成されることもあるが、このようなラジカルは、化学的に反応性が極めて高く、活性であるが故に非常に不安定な物質であり、酸素や窒素など空気中の分子とすぐに反応するので、空気中で極めて短寿命であり、生成されてもほぼ瞬時に消滅してしまうため、たとえラジカルが生成されたとしても、静電ミスト１０１とともに放出されることはないし、静電ミスト１０１がラジカルを含むこともない。
【０２５２】
以上の結果から、水印加電極１０２として最も好ましい材料は、チタンを素材とした発泡金属であると言える。また、ＳＵＳ３１６、チタン、ニッケルを素材として用いた発泡金属では、高電圧を印加することによる電気腐食や電気摩耗も防ぐことができ、長期に渡って水印加電極１０２の形状、特に先端霧化部１２９の尖り形状を保持することができる。そのため、静電霧化を長期に渡って安定して実施することができる、という効果も得られる。この効果においても、特にチタンを素材とするものが材料の特性から顕著である。
【０２５３】
これまで、発泡金属は、高い気孔率と大きい孔径の三次元網目構造を有するので、高い吸水性と搬送性（水の移動速度が速い性質）を持つことを説明してきた。また、このような性質を利用して、本実施の形態に示す静電霧化装置の水印加電極１０２の材料として発泡金属が好適であることを説明してきた。ここで更に、発泡金属を酸化処理することにより、内部の気孔１２１表面の親水性が向上し、水印加電極１０２の吸水性と搬送性が高まることを見出した。酸化処理は、発泡金属を酸素雰囲気に曝すことでなし得る。
【０２５４】
酸化処理による親水性向上は、素材がチタンである場合に特に顕著である。チタンを酸化処理すると、表面層は酸化チタンに近い性質となる。酸化チタンは紫外線などのエネルギーを受けると周りにある水と反応して最表面に水酸基（ＯＨ基）を作るため、水と非常になじみやすい性質（高い親水性）を有するようになる。このため、水が表面拡散で移動する際に、水が止まることなく広がって進むので、発泡金属の内部で水を効率よく素早く移動させることができる。素材がチタンの発泡金属では、酸化処理を行ったものが、酸化処理を行っていないものに比べて水の移動速度が５倍程度速くなるという結果が得られている。
【０２５５】
素材がチタン以外のニッケルなど他の金属材料を素材とする発泡金属の場合でも、酸化処理の際に表面に親和性を有する層を作るので、水へのなじみ性（親水性）が向上する。ただし、素材がチタンである発泡金属を酸化処理した場合の親水性の向上効果が顕著であり、水の移動速度が速くなって、水印加電極１０２における吸水性と搬送性の向上効果が高い。酸素雰囲気に曝す酸化処理では、発泡金属で形成された水印加電極１０２の外表面のみではなく、高い気孔率と大きな孔径を備えた連続気孔構造により、連続気孔を通過して内部の気孔１２１に面する表面にも酸化処理がなされ、気孔１２１に臨む内表面も含めた金属部１２２のすべての表面に対して親水性が向上し、水の移動速度を高めることができる。このため、静電霧化装置３００〜８００の運転開始から静電ミスト１０１の放出までの時間を短くできる。
【０２５６】
以上のように、本実施の形態に係る静電霧化装置の水印加電極１０２は、三次元網目構造を有する発泡金属を材料に用いて形成されていることを特徴の一つとしている。このため、吸水量が多く、水の移動速度が速いので、静電霧化装置の運転開始から霧化が始まる（静電ミスト１０１が放出される）までの時間が早い。そして、発泡金属は、電気抵抗率が低くて電気伝導性に優れているため、霧化する水に効率よく電気をかけられ帯電でき、霧化量が増加する、という効果を有する。
【０２５７】
また、電気腐食や電気摩耗を防止でき、長期に渡って水印加電極１０２の形状、特に先端霧化部１２９の尖り形状を保持することができる。そのため、静電霧化を長期に渡って安定して実施することができる、という効果を有する。
【０２５８】
また、高い気孔率のために多量の水を吸水することができるとともに、孔径が大きいために、長期に渡って目詰まりすることなく長期に渡って安定した高い吸水性と搬送性を維持でき、静電霧化を長期に渡って安定して実施できる、という効果を有する。
【０２５９】
また、発泡金属の素材に、還元作用のある金属である、チタンやニッケル、モリブデンを数％含有するオースナイト系ステンレスのいずれかを用いることで、静電ミスト１０１の生成に伴う放電によってオゾンが生成されるが、その発生量を抑制できる、という効果を有する。この効果は、特にチタンを素材とした発泡金属で水印加電極１０２を形成した場合に顕著である。
【０２６０】
また、発泡金属の表面を、焼結後に酸化処理したものを材料として水印加電極１０２を形成すれば、内部表面の親水性が高まり、水の移動速度が更に向上する、という効果を有する。
【０２６１】
なお、ここまで説明してきた三次元網目構造を有する発泡金属は、その高い吸水性と搬送性から、本実施の形態で示す静電霧化装置３００〜８００の水印加電極１０２に限らず、他の形態の静電霧化装置であっても、放電部までの水搬送を兼ねる電極に用いれば、本実施の形態の水印加電極１０２と同様な効果を得ることができる。例えば特許文献１の静電霧化装置では、水溜め部の水をセラミック多孔質体からなる直立した搬送体に毛細管現象でその上端まで搬送させ、針状に尖る上端に水のテーラーコーンを形成させてミストを生成するが、この搬送体（水印加電極１０２に相当するものである）を、セラミックではなく、ここまで説明した発泡金属で形成すれば、水の搬送速度が著しく上昇し、セラミックで形成する場合よりも運転開始から静電霧化までの時間が短縮できるし、また、放電部となる針状に尖った上端が、電気腐食や電気摩耗することを防止でき、長期に渡って尖り形状を維持でき、セラミックで形成する場合よりも静電霧化を長期に渡って安定して実施できるようになる。
【０２６２】
これより、本実施の形態の静電霧化装置３００〜８００のいずれかを、空気調和機２００の内部に搭載した場合について説明する。図６５は静電霧化装置３００〜８００のいずれかを備えた空気調和機２００の断面図である。空気調和機２００は、一般的な壁掛け型のものである。
【０２６３】
空気調和機２００は、室内空気を吸い込む吸い込み口１４１と、調和空気を室内へ吹き出す吹き出し口１４２と、室内空気から調和空気を生成する逆Ｖ字型の熱交換器１５１（前面上部熱交換器１５１ａ、前面下部熱交換器１５１ｂ、背面熱交換器１５１ｃからなる）と、熱交換器１５１で結露した水を受けるドレンパン１４０（二箇所）と、送風ファン１４３とを備えている。空気調和機２００本体の上方に位置する吸い込み口１４１から送風ファン１４３の回転によって流入した室内空気は、熱交換器１５１を通過する際に冷凍サイクルの冷媒と熱交換されて温度湿度が調節されて、送風ファン１４３を通過して、下方に位置する吹き出し口１４２から調和空気となって室内に吹き出される。
【０２６４】
吹き出し口１４２には、吹き出される調和空気の風向を変更できる左右風向板１４４と上下風向板１４５が設置されていて、吹き出し流の吹き出し方向が調整されている。吹き出し流の左右方向の風向を変更可能な左右風向板１４４が、吹き出し流の上下方向の風向を変更可能な上下風向板１４５の上流側に位置している。また、ドレンパン１４０で回収した熱交換器１５１の結露水は、図示しないドレンホースを通って、屋外に排出される。
【０２６５】
ここで、この空気調和機２００では、静電霧化装置３００〜８００のいずれかを、前面下部熱交換器１５１ｂの風上側（上流側）、もしくは背面熱交換器１５１ｃの風上側（上流側）のいずれかであって、ドレンパン１４０の上方に設置している。ドレンパン１４０の上方に静電霧化装置３００〜８００のいずれかを設置すれば、冷却部１０８の結露水１１０が多量であって余剰水分が生じた場合であっても、ドレンパン１４０がそのような余剰水分を受け取って、熱交換器１５１の結露水といっしょに屋外へ排出するので、設置した静電霧化装置（３００〜８００のいずれか）の余剰水分が室内へ漏れ出す恐れがない。
【０２６６】
空気調和機２００に、静電霧化装置３００〜８００のいずれかを設置することにより、静電霧化装置から放出された多量の静電ミスト１０１を、吸い込み口１４１から吸い込まれた室内空気といっしょに熱交換器１５１を通過させ、吹き出し口１４２から調和空気ととともに、室内へ放出させることができる。
【０２６７】
なお、熱交換器１５１の風上側に静電霧化装置３００〜８００のいずれかを設置するにあたって、いずれの場合であっても、冷却フィン１０８ｂや放熱部１０７のフィンの積層方向が空気調和機２００本体の左右方向となるように配置するのがよい。これにより吸い込み口１４１からの吸い込み空気流が、フィンに沿って流れるようになって放熱部１０７の放熱が促進される。そして、放熱部１０７が熱交換器１５１と向き合うように配置した方が、放熱部１０７を通過する空気（室内吸い込み空気）流の流量が多くなり、放熱がより促進されてよい。
【０２６８】
また、放熱部１０７を熱交換器１５１と向き合わせて配置する場合、静電霧化装置３００、静電霧化装置５００（変形例３）、静電霧化装置７００（変形例４）、静電霧化装置８００のいずれかであれば、図５４に示す静電霧化装置４００（変形例１）と同様に、先端霧化部１２９を胴部１２８の放熱部１０７側の長辺方向側面上に、冷却フィン１０８ｂの突出方向とは反対方向に突出するように設ければ、放熱部１０７を通過する流量の多い空気流にのせて静電ミスト１０１を吹き出し口１４２まで早く導くことができる。なお、この場合静電ミスト１０１の生成部分の上方には、図５４に示すように庇１３０を設置して、静電ミスト１０１の生成部分への空気流の通過を抑制した方がよい。
【０２６９】
そして、水印加電極１０２を還元性のある金属、特にチタンを素材とする発泡金属で形成することにより、放電に伴うオゾンの発生量が抑制されるので、吹き出し口１４２から調和空気とともにオゾンが吹き出され、ユーザが異臭と感じたり、保湿効果を要求するユーザの人体に酸化作用を及ぼしたりすることがない。また、上記したように、放電に伴ってラジカル（活性種）が生成されたとしても、短寿命であって消滅してしまうので、吹き出し口１４２からラジカルが吹き出されることはなく、吹き出される静電ミスト１０１にラジカルが含まれることもないので、保湿効果を要求するユーザの人体にラジカルが酸化作用を及ぼすことはない。帯電してはいるが、ナノメータサイズの純粋な水が、ユーザの肌に浸透するので、肌に悪影響を与えることなく、保湿効果を高められる。
【０２７０】
なお、静電霧化装置３００〜８００において、水印加電極１０２の材料として三次元網目構造を有する発泡金属を用いてきたが、例えば、水を毛細管現象で搬送するセラミックや非発泡の一般的な焼結金属、樹脂発泡体など他の多孔質体を用いて水印加電極１０２を形成しても、発泡金属を用いることによる種々の効果は得られないが、上記した水印加電極１０２（胴部１２８と先端霧化部１２９）の形状や構成、冷却部１０８（水供給手段）と水印加電極１０２との位置関係、水印加電極１０２の設置角度や冷却部１０８の設置角度による、冷却部１０８で生成された水を無駄なく素早く先端霧化部１２９へ導き、安定して多くの量の静電ミスト１０１を発生させることができる、という効果は得ることができる。
【０２７１】
次に、人体検知後の吹き分け気流制御の方法について説明する。
【０２７２】
図６６により、空気調和機９００の構成を説明する。図に示すように、空気調和機９００は、空気調和機本体２０１の内部に空気を吸込み吹出す室内送風機２０２、吸込み空気に含まれている粉塵等を取り除くプレフィルター２０８、第１の室内熱交換器２０５ａ、第２の室内熱交換器２０５ｂ、第３の室内熱交換器２０５ｃ、第４の室内熱交換器２０５ｄ、を収納しており、空気調和機本体２０１の空気吸込み口には吸込み口２０３が設けられ、空気調和機本体２０１の吹出し口２０４には上下風向制御板２０６及び左右風向制御板２０７が備え付けられている。室内送風機２０２は室内ファンモーター（図示しない）により回転駆動され、これにより室内空気が吸込み口２０３から空気調和機本体内に取り込まれ、プレフィルター２０８により除塵された空気が室内熱交換器２０５ａ〜２０５ｄを通過する際に熱交換される。その後吸込まれた空気は室内送風機２０２を通過し、吹出し口２０４に配置された左右風向制御板２０７及び上下風向制御板２０６により上下左右方向に整流され空気調和機本体２０１から室内空間へ吹出される。  
【０２７３】
また、図６７に示すように上下風向制御板２０６及び左右風向制御板２０７は、各々左右に分割されており独立して動作することができる。
【０２７４】
上下風向制御板２０６は、上下風向制御板（左）２０６ａ及び上下風向制御板（右）２０６ｂから構成されており、上下風向制御板（左）２０６ａは上下風向制御板（左）リンク棒２０９ａにより上下風向（左）制御用ステッピングモーター２１０ａと連結され、上下風向（左）制御用ステッピングモーター２１０ａが回転駆動することで上下風向制御板（左）２０６ａの角度が変化し、これにより空気調和機本体２０１から吹出される左側半分の気流の上下風向角度を調節して整流することができる。
【０２７５】
同様に上下風向制御板（右）２０６ｂは、上下風向制御板（右）リンク棒２０９ｂにより上下風向（右）制御用ステッピングモーター２１０ｂと連結され、上下風向（右）制御用ステッピングモーター２１０ｂが回転駆動することで上下風向制御板（右）２０６ｂの角度が変化し、これにより空気調和機本体２０１から吹出される右側半分の気流の上下風向角度を調節して整流することができる。
【０２７６】
左右風向制御板２０７は、左右風向制御板（左）２０７ａ及び左右風向制御板（右）２０７ｂから構成されており、左右風向制御板（左）２０７ａは複数枚から構成されるが左右風向制御板（左）リンク棒２１１ａにより連結され全て同じ動作を行う。左右風向制御板（左）リンク棒２１１ａの先には左右風向（左）制御用ステッピングモーター２１２ａが連結され、左右風向（左）制御用ステッピングモーター２１２ａが回転駆動することで左右風向制御板（左）２０７ａの角度が変化し、これにより空気調和機本体２０１から吹出される左側半分の気流の左右風向角度を調節して整流することができる。
【０２７７】
同様に左右風向制御板（右）２０７ｂも複数枚から構成されるが、左右風向制御板（右）リンク棒２１１ｂにより連結され全て同じ動作を行う。左右風向制御板（右）リンク棒２１１ｂの先には左右風向（右）制御用ステッピングモーター２１２ｂが連結され、左右風向（右）制御用ステッピングモーター２１２ｂが回転駆動することで左右風向制御板（右）２０７ｂの角度が変化し、これにより空気調和機本体２０１から吹出される右側半分の気流の左右風向角度を調節して整流することができる。
【０２７８】
また図６８、図６９は空気調和機本体２０１が停止している状態を示す図であるが、図６８は上下風向制御板（左）２０６ａ及び上下風向制御板（右）２０６ｂの動作状態を分かりやすくするために左右風向制御板の図示を省略してあり、図６９は左右風向制御板（左）２０７ａ及び左右風向制御板（右）２０７ｂの動作状態を分かりやすくするために上下風向制御板の図示を省略してある。
【０２７９】
図７０は空気調和機本体２０１が空調する部屋を示しており、部屋の空間を奥行き方向３×左右方向５の１５のエリア区画に分割した状態として空気調和機本体２０１が認識している状態を示している。
【０２８０】
この１５のエリア区画に分割した状態は、上記にて記載している赤外線センサ３からの情報を持って空間認識判定を行った結果の床面エリアを１５のエリア区画に区分けしたことを特徴とする。
【０２８１】
図７０において、空気調和機本体２０１に最も近い手前の行（以下、第１行）はＡ１、Ｂ１、Ｃ１、Ｄ１、Ｅ１の５つのエリア区画から構成され、空気調和機本体２０１から最も離れて位置する行（以下、第３行）はＡ３、Ｂ３、Ｃ３、Ｄ３、Ｅ３の５つのエリア区画からなる。第１行と第３行の間に位置する第２行はＡ２，Ｂ２、Ｃ２、Ｄ２，Ｅ２の５つのエリア区画からなる。Ａ，Ｂ、Ｃ、Ｄ、Ｅはこの部屋の空間における列方向を示しており、例えば第Ａ列というのはＡ１、Ａ２、Ａ３の３つのエリア区画から構成されることを意味する。
【０２８２】
空気調和機本体２０１を基準にすると、第Ａ列は空気調和機本体２０１に対し最も左に位置する列、第Ｃ列は空気調和機本体２０１の正面に位置する列、第Ｅ列は空気調和機１００に対し最も右に位置する列、第Ｂ列は第Ａ列と第Ｃ列の中間に位置する列、第Ｄ列は第Ｃ列と第Ｅ列の中間に位置する列ということになる。尚、ここでの左右は、部屋から空気調和機本体２０１を見る場合の左右である。
【０２８３】
空調対象エリアのエリア区画分割総数を人体検知から算出した床面エリアを１５区分しているが、この分割数は本願発明が特に限定するものではなくその数については任意である。原理的にはエリア区画総数を多くすればするほど空気調和機から吹出される気流をよりきめ細かく高精度に制御することが可能となるので快適性がより向上することとなる。
【０２８４】
ここで、本実施の形態１の空気調和機９００の空気調和機本体２０１内部に搭載されている制御装置２１５（制御部）内に内蔵されたマイクロコンピュータ（以下、マイコン）の回路構成について図７１を用いて説明する。図７１において、制御装置２１５は入力部２１６、ＣＰＵ２１７、メモリ２１８、出力部２１９から構成され、さらにＣＰＵ２１７内部には人体検出判断部２２０、目標エリア決定部２２１、エリア風向制御部２２２が内蔵されている。入力部２１６は人体検知センサ２１４からの入力信号を受ける入力回路であり、ここでは人体検知センサ２１４以外の入力は省略しているが、当然のことながらこれに限定するものではなく、リモコン信号、室温検出センサ等の入力があってもよい。ＣＰＵ２１７はメモリ２１８に記憶されている内容を参照して各種の演算処理や風向判断等の様々な決定が行われる部分であり、入力部２１６を通して入力された人体検知信号はまずＣＰＵ２１７内の人体検出判断部２２０に入力される。ここでメモリ２１８は使用者が入力した空気調和機の運転の設定状態、また各種のプログラム、風向設定表等の動作定数等が記憶されている部分である。人体検出判断部２２０では入力された人体検知信号に基いて図７０にて説明した１５のエリア区画群のどのエリア区画に人体が検出されたかを判断する。
【０２８５】
目標エリア決定部２２１では、人体検出判断部２２０にて判断された人体を検出したエリア区画の結果を受けて、図７０にて説明した１５のエリア区画群のどのエリア区画に向けて吹出し空気流を向けるかを決定する。
【０２８６】
エリア風向制御部２２２では、目標エリア決定部２２１にて決定された目標エリア区画に向けて空気調和機本体２０１からの吹出し気流を整流するために、上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂの各ステッピングモーターをどのように制御するかを決定し、出力部２１９へその結果を引き渡す。
【０２８７】
出力部２１９には上下風向（左）制御用ステッピングモーター２１０ａ、上下風向（右）制御用ステッピングモーター２１０ｂ、左右風向（左）制御用ステッピングモーター２１２ａ、左右風向（右）制御用ステッピングモーター２１２ｂが接続されており、各ステッピングモーターはエリア風向制御部２２２により決定された動作内容に基いて動作する。
【０２８８】
各ステッピングモーターには各々上下風向制御板（左）２０６ａ、上下風向制御板（右）２０６ｂ、左右風向制御板（左）２０７ａ、左右風向制御板（右）２０７ｂが連結されており、各ステッピングモーターの動作回転量に応じて各々の風向制御板の角度が変更され、最終的に空気調和機本体２０１から目標とするエリア区画に向けて整流された気流が吹出される。
【０２８９】
図７１は本実施の形態を説明するにあたって必要最小限の要素についてのみ記載しているが、これに限定するものではなく空気調和機９００の動作として必要な他の要素が搭載されていても本願発明の趣旨を何ら損なうものではない。
【０２９０】
次に本実施の形態１の空気調和機９００の動作について図７２乃至図８３を用いて説明する。
【０２９１】
以上のように構成された空気調和機９００において、図７０に示す空気調和機９００の認識する室内空調空間の１５のエリア区画群を平面的に図示すると図７２のような状況になる。
【０２９２】
ここで、例えば人体検出位置がＡ２とＥ２の２つのエリア区画であると人体検出部２０が判断すると、目標エリア決定部２２１の判断結果は図７３に示すように、Ａ２とＥ２のエリア区画に“１”、それ以外の残りの１３のエリア区画には“０”という値が設定されることとなる。
【０２９３】
すなわち目標エリア決定部２２１は、目標とするエリア区画には値“１”を設定し、目標としないエリア区画には値“０”を設定し、全てのエリア区画各々について“０”か“１”の２値のうちのどちらかの値のみを設定するように動作することで判断結果を出力する。
【０２９４】
次にエリア風向制御部２２２では、目標エリア決定部２２１で決定された目標エリア区画に向けて空気調和機本体２０１からの吹出し気流を整流するための上下風向制御板２０６、左右風向制御板２０７の設定角度、及び各風向制御板（上下風向制御板２０６、左右風向制御板２０７）を決定した設定角度にするために必要な各ステッピングモーター（左右風向（左）制御用ステッピングモーター２１２ａ、左右風向（右）制御用ステッピングモーター２１２ｂ）の回転駆動量を決定する。
【０２９５】
まず、左右風向制御板２０７の設定角度を決定する方法を説明する。エリア風向制御部２２２では左右風向制御板２０７の設定角度を決定するために、図７３の目標とするエリア区画の設定状態を基に、図７４に示す演算処理を行い左右風向制御板２０７の動作を決定するためのデータを算出する。
【０２９６】
このデータの算出方法は各エリア区画群の中で奥行き方向に、各エリア区画の論理和を各列毎に算出することでなされる。ここで論理和とは、０か１の２値のうちどちらかの値のみをとる複数の数値群の中で、その数値群全てが０であれば０の結果を返し、その数値群の中の少なくともいずれか一つでも１であれば１の結果を返す演算処理を行う関数のことである。
【０２９７】
例えば、第Ａ列を構成する３つのエリア区画Ａ１、Ａ２、Ａ３に着目すると、Ａ１＝０、Ａ２＝１、Ａ３＝０の値となっている。従って第Ａ列を構成する３つのエリア区画の値の論理和の演算結果はＡ２が１の値であるから１という結果になる。
【０２９８】
同様に第Ｂ列を構成する３つのエリア区画Ｂ１、Ｂ２、Ｂ３の値の論理和の演算結果は３つのエリア区画の値が全て０であるから０となる。
【０２９９】
以下第Ｃ列、第Ｄ列、第Ｅ列について同様の演算処理を行うと、最終的に図７４の破線囲い内に示す結果となる。この破線囲い内のデータ値群を、図７３に示すような２次元状に展開しているデータ群を図７４に示すように奥行き方向に演算処理して一次元のデータ状態にすることから、奥行き方向一次元データ２２３と定義する。
【０３００】
次にエリア風向制御部２２２は、メモリ２１８に記憶格納されている図７５に示す左右風向設定表を参照して、算出した奥行き方向一次元データ２２３の結果と合致するものを、この表の中から抽出して左右風向制御板２０７の最終的な設定角度を決定する。
【０３０１】
図７５の左右風向設定表は、奥行き方向一次元データ２２３の各列毎の値に応じて、左右風向制御板（左）２０７ａ及び左右風向制御板（右）２０７ｂの設定角度が規定されている一覧表であり、メモリ２１８に記憶格納されているものである。
【０３０２】
例えば、図７４に示すように奥行き方向一次元データ２２３は第Ａ列から第Ｅ列の順に、１、０、０、０、１という結果になっているので、図７５の左右風向設定表では番号１８番の行に記載されている内容に合致する。
【０３０３】
番号１８番では、左右風向制御板（左）２０７ａの設定角度は左向き、左右風向制御板（右）２０７ｂの設定角度は右向きとなっており、メモリ２１８に予め記憶格納されている各設定角度に必要なステッピングモーターの回転駆動量に基いて、各々の結果に応じたステッピングモーター（左右風向（左）制御用ステッピングモーター２１２ａ、左右風向（右）制御用ステッピングモーター２１２ｂ）の回転駆動量を決定しこの結果を出力部２１９へ引き渡す。
【０３０４】
出力部２１９では、エリア風向制御部２２２から引き渡された各々の左右風向制御用ステッピングモーター（左右風向（左）制御用ステッピングモーター２１２ａ、左右風向（右）制御用ステッピングモーター２１２ｂ）の回転駆動量に基き、左右風向（左）制御用ステッピングモーター２１２ａ及び左右風向（右）ステッピングモーター１２ｂを回転駆動する。この結果左右風向制御板（左）２０７ａ及び左右風向制御板（右）２０７ｂが、目標とするエリア区画に向けて気流を整流することとなる設定角度に設定される。
【０３０５】
次に上下風向制御板２０６の設定角度を決定する方法を説明する。エリア風向制御部２２２は、上下風向制御板２０６の設定角度を決定するために、図７２に示す１５の各エリア区画群の配置状態を、まず図７６に示すように、左領域、中央領域、右領域に分類する。
【０３０６】
すなわち左領域は、第Ａ列と第Ｂ列の６つのエリア区画Ａ１、Ａ２、Ａ３、Ｂ１、Ｂ２、Ｂ３から構成され、中央領域は第Ｃ列の３つのエリア区画Ｃ１、Ｃ２、Ｃ３から構成され、右領域は第Ｄ列と第Ｅ列の６つのエリア区画Ｄ１、Ｄ２、Ｄ３、Ｅ１、Ｅ２、Ｅ３から構成されている。
【０３０７】
次にエリア風向制御部２２２は、各領域毎に左右方向に各エリア区画の論理和を各行毎に算出する。すなわち目標エリア決定部２２１によりＡ２とＥ２のエリア区画が目標エリアと決定されているので、図７７に示すように左領域では第１行の２つのエリア区画Ａ１とＢ１はともに値が“０”であるから、その論理和の演算結果は０となる。
【０３０８】
同様に第２行の２つのエリア区画Ａ２とＢ２は、Ａ２＝１、Ｂ２＝０でありＡ２が“１”であるからその論理和の演算結果は１となる。
【０３０９】
第３行の２つのエリア区画Ａ３とＢ３はともに“０”であるから、その論理和の演算結果は０となり、結果左領域の演算処理結果は、第１行から第３行の順に０、１、０すなわち図７７の左側の破線囲い内の結果になる。この囲い内のデータ値群を、左領域内で各エリア区画のデータを各行毎に左右方向に演算処理して一次元のデータ状態にすることから、左右方向一次元データ（左領域）２２４と定義する。
【０３１０】
同様にして右領域については、図７７の右側の破線囲い内に示すような左右方向一次元データ（右領域）２２５が演算結果として得られる。
【０３１１】
中央領域については、列が第Ｃ列の一つしかないので、第Ｃ列の３つのエリア区画Ｃ１、Ｃ２、Ｃ３のデータがそのまま左右方向一次元データ（中央領域）ということになる。
【０３１２】
続いてエリア風向制御部２２２は、左領域、中央領域、右領域の３つの領域について、各々の領域内のすべてのエリア区画について論理和をとる演算処理を行い、各々の領域に目標とすべきエリア区画が存在するかどうかを判別する。
【０３１３】
例えば、図７７に示すように、左領域内にはエリア区画Ａ２が１であるから左領域は１、同様に中央領域は目標とするエリア区画が存在しないので０、右領域は１というように判別する。
【０３１４】
エリア風向制御部２２２は、この判別結果に合致するものをメモリ２１８に記憶格納されている図７８に示す上下風向制御板（左）−（右）動作決定表の中から抽出して各々の上下風向制御板２０６（上下風向制御板（左）２０６ａ、上下風向制御板（右）２０６ｂ）の動作を決定する。
【０３１５】
図７８は目標とするエリア区画が左領域、中央領域、右領域の各領域の中に存在しているかどうかを分類し、その分類毎に上下風向制御板（左）２０６ａ及び上下風向制御板（右）２０６ｂの動作を決定する上下風向制御板（左）−（右）動作決定表である。
【０３１６】
この表中で右領域を狙うとは、右領域の左右方向一次元データ（左右方向一次元データ（右領域）２２５）を使用するという意味であり、同様に左領域を狙うとは、左領域の左右方向一次元データ（左右方向一次元データ（左領域）２２４）を使用し、中央領域を狙うとは中央領域の左右方向一次元データを使用するという意味である。
【０３１７】
また左＋中央領域を狙うとは、左領域の左右方向一次元データ（左右方向一次元データ（左領域）２２４）と中央領域の左右方向一次元データを行方向に論理和演算処理を行った結果得られる左右方向一次元データを使用するという意味である。
【０３１８】
同様に右＋中央領域を狙うとは、右領域の左右方向一次元データ（左右方向一次元データ（右領域）２２５）と中央領域の左右方向一次元データを行方向に論理和演算処理を行った結果得られる左右方向一次元データを使用するという意味である。
【０３１９】
いま、左領域＝１、中央領域＝０、右領域＝１の結果であるので、図７８の表の番号６番の行に記載されている内容がこれに合致する。番号６番では、上下風向制御板（左）２０６ａは左領域を狙う、上下風向制御板（右）２０６ｂは右領域を狙うと指定されている。従って、上下風向制御板（左）２０６ａは左領域の左右方向一次元データ（左領域）２２４を使用し、上下風向制御板（右）２０６ｂは右領域の左右方向一次元データ（右領域）２２５を使用する。
【０３２０】
次にエリア風向制御部２２２は、各々の上下風向制御板（上下風向制御板（左）２０６ａ、上下風向制御板（右）２０６ｂ）が使用する左右方向一次元データ（左右方向一次元データ（左領域）２２４、左右方向一次元データ（右領域）２２５）と合致するものを、メモリ２１８に記憶格納されている図７９に示す上下風向設定表から抽出し、各々の上下風向制御板（左）２０６ａ、上下風向制御板（右）２０６ｂの最終的な設定角度を決定する。
【０３２１】
図７９の上下風向設定表は左右方向一次元データの各行毎の値に応じて、上下風向制御板２０６の設定角度が規定されている一覧表であり、上下風向制御板（左）２０６ａ、上下風向制御板（右）２０６ｂの両方の上下風向制御板２０６について適用される表である。
【０３２２】
表中の上下風向１番から上下風向５番とは、ここでは上下風向１番は水平方向に吹出す設定角度であり、上下風向５番は最も下吹き角度となる設定角度であり、上下風向２番から上下風向３番はその番号順に上下風向１番と上下風向５番の間に設定される設定角度として記載している。
【０３２３】
いま、上下風向制御板（左）２０６ａは、左領域の左右風向一次元データ（左領域）２２４を使用し、左右方向一次元データ（左領域）２２４は第１行から第３行の順で０、１、０となっているから、図７９の表中の番号３番に合致する。
【０３２４】
番号３番には、上下風向制御板２０６の設定角度は上下風向３番と指定されているので、上下風向制御板（左）２０６ａは最終的にこの上下風向３番の設定角度に設定される。
【０３２５】
同様にして上下風向制御板（右）２０６ｂは、右領域の左右方向一次元データ（右領域）２２５を使用し、その値は０、１、０であるから図７９の表中の番号３番に指定されている上下風向３番の設定角度に設定される。
【０３２６】
設定角度が決定されるとエリア風向制御部２２２は、メモリ２１８に予め記憶格納されている各設定角度に必要なステッピングモーター（上下風向（左）制御用ステッピングモーター２１０ａ、上下風向（右）ステッピングモーター１０ｂ）の回転駆動量に基いて、各々の結果に応じたステッピングモーター（上下風向（左）制御用ステッピングモーター２１０ａ、上下風向（右）ステッピングモーター１０ｂ）の回転駆動量を決定しこの結果を出力部２１９へ引き渡す。
【０３２７】
出力部２１９では、エリア風向制御部２２２から引き渡された各々の上下風向制御用ステッピングモーター（上下風向（左）制御用ステッピングモーター２１０ａ、上下風向（右）ステッピングモーター１０ｂ）の回転駆動量に基き、上下風向（左）制御用ステッピングモーター２１０ａ及び上下風向（右）ステッピングモーター１０ｂを回転駆動する。
【０３２８】
この結果上下風向制御板（左）２０６ａ及び上下風向制御板（右）２０６ｂが目標とするエリア区画に向けて気流を整流することとなる設定角度に設定される。
【０３２９】
因みに、図７６乃至図７８に示すように二次元状に展開している複数のエリア区画を左領域、中央領域、右領域の複数の領域に分類し、図７８に示す判断処理によって最終的な上下風向制御板（左）２０６ａ及び上下風向制御板（右）２０６ｂの設定角度を決定するようにしているのは、上下風向制御板２０６が複数存在しているため、例えば目標エリア区画が１ヶ所の場合には全上下風向制御板２０６にてそのエリア区画を狙うように動作させ、あるいは異なる２ヶ所が目標エリア区画となった場合には各々の上下風向制御板２０６によって吹き分けを行うというような動作ができるようにするためである。
【０３３０】
以上のような処理を経て最終的に上下風向制御板（左）２０６ａおよび上下風向制御板（右）２０６ｂと、左右風向制御板（左）２０７ａ及び左右風向制御板（右）２０７ｂとの全ての風向制御板の設定角度が決定される。
【０３３１】
この風向動作状態を斜視図で示したものが図８０であり、左右風向制御板２０７の図示を省略したものが図８１であり、上下風向制御板２０６の図示を省略したものが図８２である。
【０３３２】
これら３つの図（図８０〜図８２）に図示されているように、上下風向制御板（左）２０６ａおよび上下風向制御板（右）２０６ｂはともに水平吹きと下吹きの中間に位置するような角度に設定され、左右風向制御板（左）２０７ａ及び左右風向制御板（右）２０７ｂは各々空気調和機本体２０１の中心から外側へ向って位置する設定角度に設定され、結果空気調和機本体２０１から吹出される気流は図示した矢印のようにやや下方向外側へ向って吹出すこととなる。
【０３３３】
図８３はこれを室内空間において図示したもので、人体位置が検出された、すなわち目標とするＡ２とＥ２の２つのエリア区画に向けて吹出し気流が整流されていることが分かる。
【０３３４】
従って、既に述べたように赤外線センサ３から算出される床面エリアを１５のエリアに区分することにより、赤外線センサ３から求められる人の位置を１５のエリア区画へ座標点を置き換え、高分解能による高精度な人位置情報にのっとった気流制御を実現することができる。
【０３３５】
本実施の形態においては、静電霧化装置から生成された静電ミストをのせた気流を直接人体の位置エリアに吹きつけるのではなく、例えば人体検知位置エリアの両側に吹き分けることで直接気流を人体に当てることによる肌水分が落ちる（下がる）ことをさけ、且つ帯電されたで静電ミストが人体に両サイドから寄ってくること（電位差のある人体へ寄りやすく）で効率よく肌水分量を上げる効果を持つことを特徴とする。
【０３３６】
例えば、人体検出位置がＣ２（図７２）のエリア区画であると人体検出部２０が判断すると、目標エリア決定部２２１の判断結果は、Ｃ２の両側のエリア区画Ｂ２とＤ２に“１”、それ以外の残りの１３のエリア区画には“０”という値が設定される。
【０３３７】
この場合、奥行き方向一次元データ２２３は第Ａ列から第Ｅ列の順に、０、１、０、１、０という結果になっているので、図７５の左右風向設定表では番号１１番の行に記載されている内容に合致する。
【０３３８】
番号１１番では、左右風向制御板（左）２０７ａの設定角度は左中向き、左右風向制御板（右）２０７ｂの設定角度は右中向きとなっており、メモリ２１８に予め記憶格納されている各設定角度に必要なステッピングモーターの回転駆動量に基いて、各々の結果に応じたステッピングモーター（左右風向（左）制御用ステッピングモーター２１２ａ、左右風向（右）制御用ステッピングモーター２１２ｂ）の回転駆動量を決定しこの結果を出力部２１９へ引き渡す。
【０３３９】
出力部２１９では、エリア風向制御部２２２から引き渡された各々の左右風向制御用ステッピングモーター（左右風向（左）制御用ステッピングモーター２１２ａ、左右風向（右）制御用ステッピングモーター２１２ｂ）の回転駆動量に基き、左右風向（左）制御用ステッピングモーター２１２ａ及び左右風向（右）ステッピングモーター１２ｂを回転駆動する。この結果左右風向制御板（左）２０７ａ及び左右風向制御板（右）２０７ｂが、目標とするエリア区画（Ｂ２、Ｄ２）に向けて気流を整流することとなる設定角度に設定される。
【０３４０】
このように、静電霧化装置から生成された静電ミストをのせた気流を直接人体の位置エリア（エリア区画Ｃ２）に吹きつけるのではなく、人体検知位置エリア（エリア区画Ｃ２）の両側エリア区画（Ｂ２、Ｄ２）に吹き分けることができる。
【０３４１】
尚、人体検出位置がＣ２（図７２）のエリア区画であると人体検出部２０が判断すると、目標エリア決定部２２１の判断結果は、Ｃ２の両端のエリア区画Ａ２とＥ２に“１”、それ以外の残りの１３のエリア区画には“０”という値が設定されるようにしてもよい。
【０３４２】
この場合は、奥行き方向一次元データ２２３は第Ａ列から第Ｅ列の順に、１、０、０、０、１という結果になっているので、図７５の左右風向設定表では番号１８番の行に記載されている内容に合致する。
【０３４３】
番号１８番では、左右風向制御板（左）２０７ａの設定角度は左向き、左右風向制御板（右）２０７ｂの設定角度は右向きとなっており、メモリ２１８に予め記憶格納されている各設定角度に必要なステッピングモーターの回転駆動量に基いて、各々の結果に応じたステッピングモーター（左右風向（左）制御用ステッピングモーター２１２ａ、左右風向（右）制御用ステッピングモーター２１２ｂ）の回転駆動量を決定しこの結果を出力部２１９へ引き渡す。
【０３４４】
出力部２１９では、エリア風向制御部２２２から引き渡された各々の左右風向制御用ステッピングモーター（左右風向（左）制御用ステッピングモーター２１２ａ、左右風向（右）制御用ステッピングモーター２１２ｂ）の回転駆動量に基き、左右風向（左）制御用ステッピングモーター２１２ａ及び左右風向（右）ステッピングモーター１２ｂを回転駆動する。この結果左右風向制御板（左）２０７ａ及び左右風向制御板（右）２０７ｂが、目標とするエリア区画（Ａ２、Ｅ２）に向けて気流を整流することとなる設定角度に設定される。
【０３４５】
このように、静電霧化装置から生成された静電ミストをのせた気流を直接人体の位置エリア（エリア区画Ｃ２）に吹きつけるのではなく、人体検知位置エリア（エリア区画Ｃ２）の両端のエリア区画（Ａ２、Ｅ２）に吹き分けることでも、人体検知位置エリア（エリア区画Ｃ２）の両側エリア区画（Ｂ２、Ｄ２）に吹き分ける場合と略同様の効果を奏することができる。
【０３４６】
また、人体検出位置がＡ２（図７２）のエリア区画であると人体検出部２０が判断すると、目標エリア決定部２２１の判断結果は、Ａ２の右隣のエリア区画Ｂ２に“１”、それ以外の残りの１４のエリア区画には“０”という値が設定される。
【０３４７】
この場合は、奥行き方向一次元データ２２３は第Ａ列から第Ｅ列の順に、０、１、０、０、０という結果になっているので、図７５の左右風向設定表では番号９番の行に記載されている内容に合致する。
【０３４８】
番号９番では、左右風向制御板（左）２０７ａの設定角度は左中向き、左右風向制御板（右）２０７ｂの設定角度は左中向きとなっており、メモリ２１８に予め記憶格納されている各設定角度に必要なステッピングモーターの回転駆動量に基いて、各々の結果に応じたステッピングモーター（左右風向（左）制御用ステッピングモーター２１２ａ、左右風向（右）制御用ステッピングモーター２１２ｂ）の回転駆動量を決定しこの結果を出力部２１９へ引き渡す。
【０３４９】
出力部２１９では、エリア風向制御部２２２から引き渡された各々の左右風向制御用ステッピングモーター（左右風向（左）制御用ステッピングモーター２１２ａ、左右風向（右）制御用ステッピングモーター２１２ｂ）の回転駆動量に基き、左右風向（左）制御用ステッピングモーター２１２ａ及び左右風向（右）ステッピングモーター１２ｂを回転駆動する。この結果左右風向制御板（左）２０７ａ及び左右風向制御板（右）２０７ｂが、目標とするエリア区画（Ｂ２）に向けて気流を整流することとなる設定角度に設定される。
【０３５０】
この場合でも、静電霧化装置から生成された静電ミストをのせた気流を直接人体の位置エリアに吹きつけるのではなく、人体検知位置エリアの片側に吹きつけることで直接気流を人体に当てることによる肌水分が落ちる（下がる）ことをさけ、且つ帯電されたで静電ミストが人体に片方のサイドから寄ってくること（電位差のある人体へ寄りやすく）で効率よく肌水分量を上げる効果を持つ。
【０３５１】
このように、静電霧化装置から生成された静電ミストをのせた気流を直接人体の位置エリアに吹きつけるのではなく、人体検知位置エリアの両側に吹き分ける、又は人体検知位置エリアの片側に吹きつけることで、暖房運転時のユーザの肌保湿効果が高まる（肌の水分量が増加する）。また、肌の水分量が増加することで、ユーザの体感温度は高まる。また、その分、暖房時の設定室温を下げることができ、その分空気調和機の消費電力量が低下し、省エネルギー化に貢献（寄与）する。
【０３５２】
暖房運転時に使用者の顔や首など露出している部分の肌の水分量が２５％増加すると、室内湿度が約２０％ＲＨ増加したことに相当する。そして、室内湿度の約２０％ＲＨの増加は、人の体感温度が約１ｄｅｇ上昇することに相当する。暖房運転時に設定温度を１ｄｅｇ下げれば、空気調和機５０の消費電力量を約１０％削減することができる。
【０３５３】
また、赤外線センサ３からの窓位置情報（図４８）をもとに、人体検知のないときつまり室内に人がいない場合には、窓位置にあるカーテン等に直接静電ミストを吹きつける気流制御を行うことで、カーテン等の効率のよい除菌を行うことができる。
【符号の説明】
【０３５４】
１  金属缶、２  配光視野角、３  赤外線センサ、５  筐体、６  ステッピングモーター、７  取付部、１２  主婦、１３  幼児、１４  窓、１６  左壁面、１７  右壁面、１８  床面、１９  正面壁、２０  左壁面境界線、２１  右壁面境界線、２２  正面壁境界線、３１  窓領域、４０  室内機筺体、４１  吸込口、４２  吹出口、４３  上下フラップ、４４  左右フラップ、４５  送風機、４６  熱交換器、４６ａ  前面上部熱交換器、４６ｂ  前面下部熱交換器、４６ｃ  背面熱交換器、５１  赤外線センサ駆動部、５２  赤外線画像取得部、５３  温度ムラ境界検知部、５４  基準壁位置算出部、５５  床面座標変換部、５６  正面左右壁位置算出部、５７  検知履歴蓄積部、５８  壁位置判断部、６０  境界線、６１  人体検出部、６２  人体位置履歴蓄積部、６３  人体位置有効性判定部、６４  温度ムラ有効性判定部、１００  空気調和機、１０１  静電ミスト、１０２  水印加電極、１０３  対向電極、１０４  高電圧電源部、１０５  低電圧電源部、１０６  ペルチェユニット、１０７  放熱部、１０８  冷却部、１０８ａ  ベース板、１０８ｂ  冷却フィン、１１０  結露水、１２１  気孔、１２２  金属部、１２８  胴部、１２９  先端霧化部、１２９ａ  先端、１３０  庇、１４０  ドレンパン、１４１  吸い込み口、１４２  吹き出し口、１４３  送風ファン、１４４  左右風向板、１４５  上下風向板、１５１  熱交換器、１５１ａ  前面上部熱交換器、１５１ｂ  前面下部熱交換器、１５１ｃ  背面熱交換器、２００  空気調和機、２０１  空気調和機本体、２０２  室内送風機、２０３  吸込み口、２０４  吹出し口、２０５ａ  第１の室内熱交換器、２０５ｂ  第２の室内熱交換器、２０５ｃ  第３の室内熱交換器、２０５ｄ  第４の室内熱交換器、２０６  上下風向制御板、２０６ａ  上下風向制御板（左）、２０６ｂ  上下風向制御板（右）、２０７  左右風向制御板、２０７ａ  左右風向制御板（左）、２０７ｂ  左右風向制御板（右）、２０８  プレフィルター、２０９ａ  上下風向制御板（左）リンク棒、２０９ｂ  上下風向制御板（右）リンク棒、２１０ａ  上下風向（左）制御用ステッピングモーター、２１０ｂ  上下風向（右）制御用ステッピングモーター、２１１ａ  左右風向制御板（左）リンク棒、２１１ｂ  左右風向制御板（右）リンク棒、２１２ａ  左右風向（左）制御用ステッピングモーター、２１２ｂ  左右風向（右）制御用ステッピングモーター、２１４  人体検知センサ、２１５  制御装置、２１６  入力部、２１７  ＣＰＵ、２１８  メモリ、２１９  出力部、２２０  人体検出判断部、２２１  目標エリア決定部、２２２  エリア風向制御部、２２３  奥行き方向一次元データ、２２４  左右方向一次元データ（左領域）、２２５  左右方向一次元データ（右領域）、３００  静電霧化装置、３０１  熱画像取得部、３０２  床壁検知部、３０３  室温判定部、３０４  外気温判定部、３０５  壁領域内温度差判定部、３０６  壁領域内外気温度領域抽出部、３０７  窓領域抽出部、３０８  窓領域内温度判部、３０９  カーテン閉め動作判定部、４００  静電霧化装置、５００  静電霧化装置、６００  静電霧化装置、７００  静電霧化装置、８００  静電霧化装置、９００  空気調和機。
【図１】
2011038652.tif 000005
【図２】
2011038652.tif 000006
【図３】
2011038652.tif 000007
【図４】
2011038652.tif 000008
【図５】
2011038652.tif 000009
【図６】
2011038652.tif 000010
【図７】
2011038652.tif 000011
【図８】
2011038652.tif 000012
【図９】
2011038652.tif 000013
【図１０】
2011038652.tif 000014
【図１１】
2011038652.tif 000015
【図１２】
2011038652.tif 000016
【図１３】
2011038652.tif 000017
【図１４】
2011038652.tif 000018
【図１５】
2011038652.tif 000019
【図１６】
2011038652.tif 000020
【図１７】
2011038652.tif 000021
【図１８】
2011038652.tif 000022
【図１９】
2011038652.tif 000023
【図２０】
2011038652.tif 000024
【図２１】
2011038652.tif 000025
【図２２】
2011038652.tif 000026
【図２３】
2011038652.tif 000027
【図２４】
2011038652.tif 000028
【図２５】
2011038652.tif 000029
【図２６】
2011038652.tif 000030
【図２７】
2011038652.tif 000031
【図２８】
2011038652.tif 000032
【図２９】
2011038652.tif 000033
【図３０】
2011038652.tif 000034
【図３１】
2011038652.tif 000035
【図３２】
2011038652.tif 000036
【図３３】
2011038652.tif 000037
【図３４】
2011038652.tif 000038
【図３５】
2011038652.tif 000039
【図３６】
2011038652.tif 000040
【図３７】
2011038652.tif 000041
【図３８】
2011038652.tif 000042
【図３９】
2011038652.tif 000043
【図４０】
2011038652.tif 000044
【図４１】
2011038652.tif 000045
【図４２】
2011038652.tif 000046
【図４３】
2011038652.tif 000047
【図４４】
2011038652.tif 000048
【図４５】
2011038652.tif 000049
【図４６】
2011038652.tif 000050
【図４７】
2011038652.tif 000051
【図４８】
2011038652.tif 000052
【図４９】
2011038652.tif 000053
【図５０】
2011038652.tif 000054
【図５１】
2011038652.tif 000055
【図５２】
2011038652.tif 000056
【図５３】
2011038652.tif 000057
【図５４】
2011038652.tif 000058
【図５５】
2011038652.tif 000059
【図５６】
2011038652.tif 000060
【図５７】
2011038652.tif 000061
【図５８】
2011038652.tif 000062
【図５９】
2011038652.tif 000063
【図６０】
2011038652.tif 000064
【図６１】
2011038652.tif 000065
【図６２】
2011038652.tif 000066
【図６３】
2011038652.tif 000067
【図６４】
2011038652.tif 000068
【図６５】
2011038652.tif 000069
【図６６】
2011038652.tif 000070
【図６７】
2011038652.tif 000071
【図６８】
2011038652.tif 000072
【図６９】
2011038652.tif 000073
【図７０】
2011038652.tif 000074
【図７１】
2011038652.tif 000075
【図７２】
2011038652.tif 000076
【図７３】
2011038652.tif 000077
【図７４】
2011038652.tif 000078
【図７５】
2011038652.tif 000079
【図７６】
2011038652.tif 000080
【図７７】
2011038652.tif 000081
【図７８】
2011038652.tif 000082
【図７９】
2011038652.tif 000083
【図８０】
2011038652.tif 000084
【図８１】
2011038652.tif 000085
【図８２】
2011038652.tif 000086
【図８３】
2011038652.tif 000087